(57)【特許請求の範囲】
【請求項１】
２つのアンテナポートを用いて受信装置へ参照信号を送信する送信装置であって、
前記受信装置の受信品質に基づいて、前記参照信号が互いに符号多重されない第１のアンテナポートペア、及び、前記参照信号が符号多重される第２のアンテナポートペアのいずれかを前記２つのアンテナポートとして設定する設定手段と、
設定された前記２つのアンテナポートから前記参照信号を送信する送信手段と、
を具備する送信装置。
【請求項２】
前記設定手段は、前記受信装置に設定されたアグリゲーションレベルが閾値以上の場合には前記第１のアンテナポートペアを設定し、前記アグリゲーションレベルが前記閾値未満の場合には前記第２のアンテナポートペアを設定する、
請求項１記載の送信装置。
【請求項３】
前記受信装置から報告されるCQI値が大きいほど、前記受信品質がより良好であり、
前記設定手段は、前記CQI値が閾値未満の場合には前記第１のアンテナポートペアを設定し、前記CQI値が前記閾値以上の場合には前記第２のアンテナポートペアを設定する、
請求項１記載の送信装置。
【請求項４】
前記設定手段は、１つの物理チャネルリソースブロックを構成する複数の制御チャネル要素のうち、前記受信装置に使用される制御チャネル要素の数が閾値以上の場合には前記第１のアンテナポートペアを設定し、前記制御チャネル要素の数が前記閾値未満の場合には前記第２のアンテナポートペアを設定する、
請求項１記載の送信装置。
【請求項５】
前記設定手段は、第１のサブフレームよりも前記送信装置からの信号の送信電力が低く設定される第２のサブフレームが前記受信装置に設定される場合には前記第１のアンテナポートペアを設定し、前記第１のサブフレームが前記受信装置に設定される場合には前記第２のアンテナポートペアを設定する、
請求項１記載の送信装置。
【請求項６】
前記受信装置に対して割当可能な複数のリソースの各々に対して、前記第１のアンテナポートペア又は前記第２のアンテナポートペアのいずれか一方がそれぞれ対応付けられ、
前記設定手段は、前記第１のアンテナポートペア及び前記第２のアンテナポートペアのうち、前記受信装置の受信品質に基づいて割り当てられたリソースに対応付けられたアンテナポートペアを、前記２つのアンテナポートとして設定する、
請求項１記載の送信装置。
【請求項７】
前記受信装置に対して割当可能な複数のコンポーネントキャリアの各々に対して、前記第１のアンテナポートペア又は前記第２のアンテナポートペアがそれぞれ対応付けられ、
前記設定手段は、前記第１のアンテナポートペア及び前記第２のアンテナポートペアのうち、前記受信装置の受信品質に基づいて割り当てられたコンポーネントキャリアに対応付けられたアンテナポートペアを、前記２つのアンテナポートとして設定する、
請求項１記載の送信装置。
【請求項８】
前記受信装置に対して割当可能な複数のコンポーネントキャリアのうち、ＰＤＣＣＨ及びＣＲＳの少なくとも一方を送信しないコンポーネントキャリアには前記第１のアンテナポートペアが対応付けられ、前記ＰＤＣＣＨ及び前記ＣＲＳを送信するコンポーネントキャリアには前記第２のアンテナポートペアが対応付けられる、
請求項７記載の送信装置。
【請求項９】
前記設定手段は、信号を周波数領域において分散して割り当てる第１の割当方法が前記受信装置に対して設定された場合には前記第１のアンテナポートペアを設定し、信号を周波数領域においてまとめて割り当てる第２の割当方法が前記受信装置に対して設定された場合には前記第２のアンテナポートペアを設定する、
請求項１記載の送信装置。
【請求項１０】
前記設定手段は、前記受信装置に対して前記第２のアンテナポートペアを設定する場合、前記第２のアンテナポートペアに含まれるアンテナポート以外の他のアンテナポートのいずれか１つを、１つのアンテナポートを用いた送信方法が設定された他の受信装置向けの信号の送信に用いられるアンテナポートとして設定する、
請求項１記載の送信装置。
【請求項１１】
送信装置が有する複数のアンテナポートのうちの２つのアンテナポートを用いて送信された参照信号を受信する受信手段と、
受信装置の受信品質に基づいて、前記参照信号が互いに符号多重されない第１のアンテナポートペア、及び、前記参照信号が符号多重される第２のアンテナポートペアのいずれかを前記２つのアンテナポートとして特定し、前記特定された２つのアンテナポートにおける参照信号を用いて、制御信号を復調する制御信号処理手段と、
を具備する受信装置。
【請求項１２】
２つのアンテナポートを用いて受信装置へ参照信号を送信する送信方法であって、
前記受信装置の受信品質に基づいて、前記参照信号が互いに符号多重されない第１のアンテナポートペア、及び、前記参照信号が符号多重される第２のアンテナポートペアのいずれかを前記２つのアンテナポートとして設定し、
設定された前記２つのアンテナポートから前記参照信号を送信する、
送信方法。
【請求項１３】
送信装置が有する複数のアンテナポートのうちの２つのアンテナポートを用いて送信された参照信号を受信し、
受信装置の受信品質に基づいて、前記参照信号が互いに符号多重されない第１のアンテナポートペア、及び、前記参照信号が符号多重される第２のアンテナポートペアのいずれかを前記２つのアンテナポートとして特定し、前記特定された２つのアンテナポートにおける参照信号を用いて、制御信号を復調する、
受信方法。
【発明の詳細な説明】
【技術分野】
【０００１】
本発明は、送信装置、受信装置、送信方法及び受信方法に関する。
【背景技術】
【０００２】
近年、セルラ移動体通信システムにおいては、情報のマルチメディア化に伴い、音声データのみならず、静止画像データ及び動画像データ等の大容量データを伝送することが一般化しつつある。また、LTE-Advanced（Long Term Evolution Advanced）では、広帯域の無線帯域、Multiple-Input Multiple-Output（MIMO）伝送技術、干渉制御技術を利用して高伝送レートを実現する検討が盛んに行われている。【０００３】
さらに、M2M（Machine to Machine）通信等、様々な機器が無線通信端末として導入されること、及び、MIMO伝送技術により端末の多重数が増加することを考慮すると、制御信号に使用されるPDCCH（Physical Downlink Control CHannel：下り回線制御チャネル）がマッピングされる領域（つまり、「PDCCH領域」）のリソース不足が懸念される。このリソース不足によって制御信号（PDCCH）がマッピングできなくなると、端末に対するデータの割当が行えない。このため、データがマッピングされるリソース領域が空いていても使用することができずに、システムスループットが低下してしまう恐れがある。【０００４】
このリソース不足を解消する方法として、無線通信基地局装置（以下、「基地局」と省略する）配下の無線通信端末装置（以下、「端末」と省略する。UE（User Equipment））に向けた制御信号を、データ領域（つまり、「PDSCH（Physical Downlink Shared CHannel）領域」）にも配置することが検討されている。この基地局配下の端末に向けた制御信号がマッピングされるリソース領域は、Enhanced PDCCH（ePDCCH）領域、New-PDCCH（N-PDCCH）領域、又は、X-PDCCH領域などと呼ばれる。このようにデータ領域に制御信号（つまり、ePDCCH）をマッピングすることにより、セルエッジ付近に存在する端末へ送信される制御信号に対する送信電力制御、又は、送信される制御信号によって他のセルへ与える干渉制御若しくは他のセルから自セルへ与えられる干渉制御が、実現可能となる。【０００５】
また、LTE-Advancedでは、各基地局のカバーエリアを拡大させるために、基地局と端末との間に、無線通信中継局装置（以下、「中継局」と省略する）を設置し、基地局と端末との間の通信を中継局を介して行う、中継（Relay）技術が検討されている。中継（Relay）技術を用いると、基地局と直接通信できない端末も中継局を介して通信することができる。LTE-Advancedにおいて導入されたRelay技術では、Relay用の制御信号はデータ領域に配置される。このRelay用の制御信号を拡張して端末用の制御信号に使用される可能性があることから、Relay用の制御信号がマッピングされるリソース領域は、R-PDCCHとも呼ばれる。【０００６】
LTE（Long Term Evolution）では、下り回線（DL：Downlink）のデータ割当を指示するDL grant(DL assignmentとも呼ばれる)、及び、上り回線（UL:UpLink）のデータ割当を指示するUL grantが、PDCCHによって送信される。【０００７】
LTE-Advancedでは、PDCCHと同様に、R-PDCCHにも、DL grant及びUL grantが配置される。R-PDCCHでは、DL grantが1st slotに配置され、UL grantが2nd slotに配置される（非特許文献１参照）。基地局からR-PDCCHを用いて送信された制御信号を、中継局は、基地局から上位レイヤのシグナリング（higher layer signaling）によって指示されたリソース領域（つまり、「サーチスペース（Search Space）」）内でモニタ（ブラインド復号）することにより、自局宛の制御信号を見つける。ここで、R-PDCCHに対応するサーチスペースは、上述の通り、上位レイヤによって、基地局から中継局に通知される。【０００８】
また、ePDCCHの設計については、上記したR-PDCCHの設計の一部を使うこともできるし、R-PDCCHの設計と全く異なる設計とすることもできる。実際に、ePDCCHの設計とR-PDCCHの設計とを異なるものにすることも検討されている。また、ePDCCHに対応するサーチスペースは、端末個別に設定されることが検討されている。【０００９】
LTE及びLTE-Advancedでは、１RB（Resource Block）は、周波数方向には１２個のサブキャリアを有し、時間方向には0.5msecの幅を有する。RBを時間方向で２つ組み合わせた単位は、RBペア（RB pair）と呼ばれる（例えば、図１参照）。つまり、RBペアは、図１に示すように、周波数方向には１２個のサブキャリアを有し、時間方向には1msecの幅を有する。また、RBペアが周波数軸上の１２個のサブキャリアの塊（グループ）を表す場合、RBペアは、単にRBと呼ばれることがある。また、物理レイヤでは、RBペアは、PRBペア（Physical RB pair）とも呼ばれる。また、１個のサブキャリアと１つのOFDMシンボルとにより規定される単位が、リソース要素（RE:Resource Element）である（図１参照）。【００１０】
上記の通り、R-PDCCH領域では、DL grantは第１スロットにマッピングされ、UL grantは第２スロットにマッピングされる。すなわち、DL grantがマッピングされるリソースと、UL grantがマッピングされるリソースとは、時間軸で分割されている。これに対して、ePDCCHでは、DL grantがマッピングされるリソースとUL grantがマッピングされるリソースとが周波数軸(つまり、サブキャリア又はPRBペア)で分割されること、または、RBペア内のREを複数のグループに分割することも検討されている。【００１１】
また、LTE-Advancedで定義されている送信方法として、１アンテナポートのプリコーディングによる送信、及び、複数アンテナポートのプリコーディングによる送信が挙げられる（例えば、非特許文献２及び３参照）。【００１２】
なお、以下の説明では、１アンテナポートのプリコーディングによる送信を、「１アンテナポート送信（「One Tx port」と表すこともある）」と呼び、複数アンテナポートのプリコーディングによる送信を、「複数アンテナポートを用いる送信ダイバーシチ（「Multi ports Tx diversity」又は単に「Tx diversity」と表すこともある）」と呼ぶこともある。また、以下の説明では、「プリコーディング」とは、送信信号に対してアンテナポート又はアンテナ毎に重み付けを行う（ウェイトを掛ける）ことを表す。また、「レイヤ」とは空間多重されている信号の各々のことを表し、ストリームとも呼ばれる。また、「ランク」とはレイヤの数を表す。また、「送信ダイバーシチ」とは、データを複数のチャネル又は複数のリソースで送信することの総称を意味する。送信ダイバーシチを適用することにより、信号は良好なチャネル（リソース）と劣悪なチャネル（リソース）とをそれぞれ含むチャネル（リソース）で送信されるので、平均的な受信品質を得ることができる。つまり、送信ダイバーシチによれば、受信品質は非常に劣悪になることなく安定する。例えば、送信ダイバーシチで使用されるチャネル又はリソースとしては、周波数、時間、空間、アンテナポート、ビームなどが挙げられる。【００１３】
［１アンテナポート送信］
１アンテナポート送信では、基地局は、端末で測定された回線品質を示すフィードバック情報に基づいてプリコーディングを選択する（閉ループプリコーディング又はフィードバックベースのプリコーディングとも呼ばれる）。このため、１アンテナポート送信は、端末の移動速度が比較的遅い場合など、フィードバック情報の信頼性が高い場合に有効な送信方法である。ただし、フィードバック情報が得られない場合又は端末の移動速度が比較的速く、フィードバック情報の信頼性が低い場合には、基地局は、任意のプリコーディングを選択することも可能である（開ループ処理）。【００１４】
例えば、１アンテナポート送信は、アンテナポート１（CRS（Cell specific Reference Signal））、アンテナポート４（MBMS（Multimedia Broadcast Multicast Service）用）、アンテナポート５（UE specific RS）、アンテナポート７（DMRS（Demodulation Reference Signal））、及び、アンテナポート８（DMRS）に適用される。【００１５】
［複数アンテナポートを用いる送信ダイバーシチ］
複数アンテナポートを用いる送信ダイバーシチでは、フィードバック情報を必要とせずにダイバーシチゲインを得ることができる。このため、複数アンテナポートを用いる送信ダイバーシチは、端末の移動速度が比較的速く、回線品質の変動が激しい場合、又は回線品質が劣悪であり、ダイバーシチゲインが必要な場合に有効な送信方法である。【００１６】
例えば、ランク２以上で使用される複数アンテナポートを用いる送信ダイバーシチとしては、Large delay CDD（Cyclic Delay Diversity：巡回遅延ダイバーシチ）（空間多重＋送信ダイバーシチ）が挙げられる。また、ランク１で使用される複数アンテナポートを用いる送信ダイバーシチとしては、２アンテナポート用である空間周波数ブロック符号化（SFBC：Space Frequency Block Code）、4アンテナポート用であるSFBC-FSTD（Frequency Switched Transmit Diversity）などが挙げられる。【００１７】
また、例えば、複数アンテナポートを用いる送信ダイバーシチは、アンテナポート１，２（CRS）及びアンテナポート１，２，３，４（CRS）に適用される。なお、複数アンテナポートを用いる送信ダイバーシチは、CRSではサポートされているものの、DMRSではサポートされていない。
【先行技術文献】
【非特許文献】
【００１８】
【非特許文献１】3GPP TS 36.216 V10.1.0 "Physical layer for relaying operation"
【非特許文献２】3GPP TS 36.211 V10.4.0 "Physical Channels and Modulation"
【非特許文献３】3GPP TS 36.212 V10.4.0 "Multiplexing and channel coding"
【非特許文献４】NTT DOCOMO, 3GPP RAN WG1 Meeting #68, R1-120409, "DM-RS for E-PDCCH with TxD," Feb. 2012
【発明の概要】
【発明が解決しようとする課題】
【００１９】
PDCCHの復調に使用されるCRSのアンテナポート数は、セル毎に決まっており、同一セル内の端末間で共通である。また、送信方法は、CRSのアンテナポート数によって異なる。具体的には、アンテナポート数が１の場合、アンテナポート数１のプリコーディング（つまり、１アンテナポート送信）が適用され、アンテナポート数が２又は４の場合、２アンテナポート又は４アンテナポート用の送信ダイバーシチが適用される。【００２０】
R-PDCCHの復調の際、CRS及びDMRSのいずれを用いるかを、基地局が上位レイヤのシグナリングによって各端末へ通知することにより、R-PDCCHの復調に使用される参照信号を端末毎に変更することができる。ただし、R-PDCCHの復調に使用される参照信号を、サブフレーム単位でダイナミックに変更することはできない。したがって、R-PDCCHでは、CRSを用いた送信ダイバーシチとDMRSを用いた１アンテナポート送信とをダイナミックに（短周期的に）切り替えることはできない。【００２１】
また、ePDCCHにおいても、１アンテナポート送信及び複数アンテナポートを用いる送信ダイバーシチの双方をサポートすることが検討されている。また、ePDCCHでは、CRSを使用せずに、DMRSを使用して複数アンテナポートを用いた送信ダイバーシチをサポートすることが検討されている。【００２２】
ePDCCHにおいて、複数アンテナポートを用いた送信ダイバーシチを行う際、DMRSを割り当てるアンテナポートとして、例えば、図１に示すアンテナポート７，９を用いることが提案されている（例えば、非特許文献４参照）。なお、図１において、アンテナポート７，８に割り当てられるDMRS（DMRS(port7,8)）は、それぞれ同一の時間方向のREに配置し、符号多重することで２アンテナポート分のDMRSが収容される。同様に、図１では、アンテナポート９，１０に割り当てられるDMRS（DMRS(port9,10)）は、それぞれ同一の時間方向のREに符号多重することで２アンテナポート分のDMRSが収容される。つまり、図１において、アンテナポート７に割り当てられるDMRSと、アンテナポート９に割り当てられるDMRSとは、異なるRE（異なる周波数）に配置され、符号多重されない。【００２３】
なお、以下の説明では、図１に示すアンテナポート７，８のように、割り当てられるDMRSが符号多重されるアンテナポートの組み合わせを「符号多重されるアンテナポート」と呼ぶことがある。また、図１に示すアンテナポート７，９のように、割り当てられるDMRSが互いに符号多重されないアンテナポートの組み合わせを「符号多重されないアンテナポート」と呼ぶことがある。【００２４】
DMRSを割り当てるアンテナポート（以下、「DMRSアンテナポート」と呼ぶこともある）として、図１に示すアンテナポート７，９を用いることで、アンテナポート７，９のそれぞれに対してパワーブースト（Power boosting）を適用することが可能となる。これにより、チャネル推定精度を向上させ、受信特性を改善することができる。【００２５】
しかしながら、ePDCCHにおいて、２アンテナポートを用いた送信ダイバーシチを行う際、図１に示すアンテナポート７，９にDMRSを割り当てる場合、図１に示すように、アンテナポート７，８にDMRSを割り当てる場合に対して２倍のDMRS用のリソースが必要となる。このため、２アンテナポートを用いた送信ダイバーシチを行う場合には、アンテナポート７，８を用いた場合と比較して、ePDCCHを割り当てるリソース（例えば、図１に示す白色のブロックで表されるRE）を多く確保することができず、ePDCCHの符号化率（ePDCCHのRE総数に対するePDCCHにおける送信情報量[bit]の割合）が高くなり、端末の受信特性が劣化してしまう課題がある。【００２６】
本発明の目的は、ePDCCHにおいて２つのアンテナポートを用いた送信ダイバーシチを行う場合に、端末の受信特性を向上させることができる送信装置、受信装置、送信方法及び受信方法を提供することである。
【課題を解決するための手段】
【００２７】
本発明の一態様の送信装置は、２つのアンテナポートを用いて受信装置へ参照信号を送信する送信装置であって、前記受信装置の受信品質に基づいて、前記参照信号が互いに符号多重されない第１のアンテナポートペア、及び、前記参照信号が符号多重される第２のアンテナポートペアのいずれかを前記２つのアンテナポートとして設定する設定手段と、設定された前記２つのアンテナポートから前記参照信号を送信する送信手段と、を具備する構成を採る。【００２８】
本発明の一態様の受信装置は、送信装置が有する複数のアンテナポートのうちの２つのアンテナポートを用いて送信された参照信号を受信する受信手段と、受信装置の受信品質に基づいて、前記参照信号が互いに符号多重されない第１のアンテナポートペア、及び、前記参照信号が符号多重される第２のアンテナポートペアのいずれかを前記２つのアンテナポートとして特定し、前記特定された２つのアンテナポートにおける参照信号を用いて、制御信号を復調する制御信号処理手段と、を具備する構成を採る。【００２９】
本発明の一態様の送信方法は、２つのアンテナポートを用いて受信装置へ参照信号を送信する送信方法であって、前記受信装置の受信品質に基づいて、前記参照信号が互いに符号多重されない第１のアンテナポートペア、及び、前記参照信号が符号多重される第２のアンテナポートペアのいずれかを前記２つのアンテナポートとして設定し、設定された前記２つのアンテナポートから前記参照信号を送信する。【００３０】
本発明の一態様の受信方法は、送信装置が有する複数のアンテナポートのうちの２つのアンテナポートを用いて送信された参照信号を受信し、受信装置の受信品質に基づいて、前記参照信号が互いに符号多重されない第１のアンテナポートペア、及び、前記参照信号が符号多重される第２のアンテナポートペアのいずれかを前記２つのアンテナポートとして特定し、前記特定された２つのアンテナポートにおける参照信号を用いて、制御信号を復調する。
【発明の効果】
【００３１】
本発明によれば、ePDCCHにおいて２つのアンテナポートを用いた送信ダイバーシチを行う場合に、端末の受信特性を向上させることができる。
【図面の簡単な説明】
【００３２】
【図１】PRBペアの説明に供する図
【図２】本発明の実施の形態１に係る基地局の要部構成を示すブロック図
【図３】本発明の実施の形態１に係る端末の要部構成を示すブロック図
【図４】本発明の実施の形態１に係る基地局の構成を示すブロック図
【図５】本発明の実施の形態１に係る端末の構成を示すブロック図
【図６】本発明の実施の形態１に係る符号多重されないアンテナポートを用いた場合のリソース配置及び送信電力を示す図
【図７】本発明の実施の形態１に係る符号多重されるアンテナポートを用いた場合のリソース配置及び送信電力を示す図
【図８】本発明の実施の形態１に係る符号化率と所要SNRとの関係を示す図
【図９】本発明の実施の形態１に係る１PRBペアを構成するCCEの一例を示す図
【図１０】本発明の実施の形態１に係るBER特性を示す図
【図１１】本発明の実施の形態６に係るRBとアンテナポートとの対応付けの一例を示す図
【図１２】本発明の実施の形態７に係るCCとアンテナポートとの対応付けの一例を示す図
【図１３】本発明の実施の形態７に係るCCとアンテナポートとの対応付けの更なる一例を示す図
【図１４】ePDCCHの割当方法の一例を示す図
【図１５】本発明の実施の形態８に係るePDCCHの割当方法とアンテナポートとの対応付けの一例を示す図
【図１６】本発明の実施の形態９に係るNCTのCCにおけるPRBペアの説明に供する図
【図１７】本発明の実施の形態９に係るePDCCHが割り当て可能なCCの種類とアンテナポートとの対応付けの一例を示す図
【図１８】本発明の他の実施の形態に係るPRBペアの説明に供する図
【図１９】本発明の他の実施の形態に係る符号多重されないアンテナポートを用いた場合のリソース配置及び送信電力を示す図
【図２０】本発明の他の実施の形態に係る符号多重されるアンテナポートを用いた場合のリソース配置及び送信電力を示す図
【発明を実施するための形態】
【００３３】
以下、本発明の実施の形態について図面を参照して詳細に説明する。なお、実施の形態において、同一の構成要素には同一の符号を付し、その説明は重複するので省略する。
【００３４】
［実施の形態１］
［通信システムの概要］
本実施の形態に係る通信システムは、送信装置と受信装置とを有する。特に、本実施の形態では、送信装置を基地局１００とし、受信装置を端末２００として説明する。この通信システムは、例えば、LTE-Advancedシステムである。そして、基地局１００は、例えば、LTE-Advancedシステムに対応する基地局であり、端末２００は、例えば、LTE-Advancedシステムに対応する端末である。
【００３５】
図２は、本実施の形態に係る基地局１００の要部構成を示すブロック図である。
【００３６】
基地局１００は、２つのアンテナポートを用いて端末２００へDMRSを送信する。設定部１０２は、端末２００の受信品質に基づいて、DMRSが互いに符号多重されないアンテナポートの組み合わせ（第１のアンテナポートペア）、及び、DMRSが符号多重されるアンテナポートの組み合わせ（第２のアンテナポートペア）のいずれかを上記２つのアンテナポートとして設定する。送信部１０９は、設定部１０２において設定された２つのアンテナポートからDMRSを送信する。
【００３７】
図３は、本実施の形態に係る端末２００の要部構成を示すブロック図である。
【００３８】
端末２００において、受信部２０１は、基地局１００が有する複数のアンテナポートのうちの２つのアンテナポートを用いて送信されたDMRSを受信する。制御信号処理部２０５は、端末２００の受信品質に基づいて、DMRSが互いに符号多重されないアンテナポートの組み合わせ（第１のアンテナポートペア）、及び、DMRSが符号多重されるアンテナポートの組み合わせ（第２のアンテナポートペア）のいずれかを上記２つのアンテナポートとして特定し、特定された２つのアンテナポートにおけるDMRSを用いて、制御信号を復調する。
【００３９】
［基地局１００の構成］
図４は、本実施の形態に係る基地局１００の構成を示すブロック図である。図４において、基地局１００は、割当情報生成部１０１と、設定部１０２と、DMRS生成部１０３と、誤り訂正符号化部１０４と、マッピング部１０５と、変調部１０６と、プリコーディング部１０７と、信号割当部１０８と、送信部１０９と、受信部１１０と、復調部１１１と、誤り訂正復号部１１２とを有する。
【００４０】
割当情報生成部１０１は、送信すべき下り回線データ信号（DLデータ信号）、及び、上り回線（UL）に割り当てる上り回線データ信号（ULデータ信号）が有る場合、データ信号を割り当てるリソース（RB）を決定し、割当情報（DL assignment及びUL grant）を生成する。DL assignmentは、DLデータ信号の割当に関する情報を含む。UL grantは、端末２００から送信されるULデータ信号の割当リソースに関する情報を含む。割当情報は信号割当部１０８へ出力される。また、DLデータ信号を割り当てるための制御情報としてDL assignmentは信号割当部１０８へ出力され、ULデータ信号を受信するための制御情報としてUL grantは受信部１１０へ出力される。
【００４１】
設定部１０２は、まず、誤り訂正復号部１１２から入力される、各端末２００から報告される端末２００の受信品質に関する情報を用いて、端末２００の受信品質を表す受信品質情報を端末２００毎に生成する。端末２００の受信品質に関する情報としては、例えば、パスロス、RSRP（Reference Signal Reception Power）、ACK/NACKの送信頻度などを含むメジャメントレポート、及び、CQI（Channel Quality Indicator）値などが挙げられる。
【００４２】
次いで、設定部１０２は、生成した受信品質情報に基づいて、設定対象端末２００へ送信するePDCCHにおいてDMRSが割り当てられるアンテナポート（DMRSアンテナポート）を設定する。具体的には、設定部１０２は、受信品質情報で表される端末２００の受信品質に基づいて、符号多重されないDMRSポートの組み合わせ（例えば、図１に示す２つのアンテナポート７，９）、及び、符号多重されるDMRSポートの組み合わせ（例えば、図１に示す２つのアンテナポート７，８）のいずれかをDMRSアンテナポートとして設定する。例えば、設定部１０２は、端末２００の受信品質が所定の基準を満たさない場合（受信品質が劣悪な場合）、符号多重されないDMRSポートの組み合わせを設定する。一方、設定部１０２は、端末２００の受信品質が所定の基準を満たす場合（受信品質が良好な場合）、符号多重されるDMRSポートの組み合わせを設定する。設定されたDMRSアンテナポートを示す情報（DMRSアンテナポート情報）は、DMRS生成部１０３及びマッピング部１０５へ出力されるとともに、制御信号として誤り訂正符号化部１０４に出力される。DMRSアンテナポート情報は、例えば、上位レイヤ（例えば、RRC（Radio Resource Control）シグナリング）を介して端末２００に通知される。なお、設定部１０２におけるDMRSポートの設定処理の詳細については後述する。
【００４３】
DMRS生成部１０３は、設定部１０２から入力されるDMRSポート情報に基づいて、DMRSを生成し、生成したDMRSをマッピング部１０５に出力する。
【００４４】
誤り訂正符号化部１０４は、送信データ信号（DLデータ信号）、及び、設定部１０２から受け取る制御信号を入力とし、入力された信号を誤り訂正符号化し、マッピング部１０５へ出力する。例えば、誤り訂正符号化部１０４は、ePDCCHにおいて送信する制御情報に対して、ePDCCHにおけるアグリゲーションレベル（Aggregation level）と、設定部１０２から入力されるDMRSポート情報とに基づいて算出される符号化率を用いて誤り訂正符号化を行う。
【００４５】
マッピング部１０５は、設定部１０２から入力されるDMRSポート情報に基づいて、誤り訂正符号化部１０４から受け取る信号及びDMRS生成部１０３から受け取るDMRSを各リソースにマッピングし、各リソースにマッピングされた信号を変調部１０６に出力する。
【００４６】
変調部１０６は、マッピング部１０５から受け取る信号に対して変調処理を施し、変調後の信号をプリコーディング部１０７へ出力する。
【００４７】
プリコーディング部１０７は、ePDCCH又はPDCCHで送信される信号に対してアンテナポート毎にプリコーディング処理を行う。プリコーディング部１０７は、プリコーディング処理後の信号を信号割当部１０８へ出力する。
【００４８】
信号割当部１０８は、割当情報生成部１０１から受け取る割当情報（DL assignment及びUL grant）を、ePDCCH又はPDCCHに割り当てる。また、信号割当部１０８は、プリコーディング部１０７から受け取る信号を、割当情報生成部１０１から受け取る割当情報（DL assignment）に対応する下り回線リソースに割り当てる。
【００４９】
こうして割当情報及び信号が所定のリソースに割り当てられることにより、送信信号が形成される。形成された送信信号は、アンテナポート毎に送信部１０９へ出力される。
【００５０】
送信部１０９は、入力信号に対してアップコンバート等の無線送信処理を施し、各アンテナポートを介して端末２００へ送信する。こうしてDMRS生成部１０３で生成されたDMRSは、設定部１０２で設定されたDMRSアンテナポートから送信される。
【００５１】
受信部１１０は、端末２００から送信された信号をアンテナを介して受信し、復調部１１１へ出力する。具体的には、受信部１１０は、割当情報生成部１０１から受け取ったUL grantが示すリソースに対応する信号を受信信号から分離し、分離された信号に対してダウンコンバート等の受信処理を施した後に復調部１１１へ出力する。
【００５２】
復調部１１１は、入力信号に対して復調処理を施し、得られた信号を誤り訂正復号部１１２へ出力する。
【００５３】
誤り訂正復号部１１２は、入力信号を復号し、端末２００からの受信データ信号を得る。受信データ信号のうち、上述した端末２００の受信品質に関する情報は設定部１０２に出力される。
【００５４】
［端末２００の構成］
図５は、本実施の形態に係る端末２００の構成を示すブロック図である。図５において、端末２００は、受信部２０１と、信号分離部２０２と、復調部２０３と、誤り訂正復号部２０４と、制御信号処理部２０５と、誤り訂正符号化部２０６と、変調部２０７と、信号割当部２０８と、送信部２０９とを有する。
【００５５】
受信部２０１は、基地局１００から送信された信号をアンテナを介して受信し、ダウンコンバート等の受信処理を施した後に信号分離部２０２へ出力する。受信信号には、端末２００向けのePDCCHにおいてDMRSに割り当てられるアンテナポートを示すDMRSアンテナポート情報が含まれる。当該DMRSアンテナポート情報は、例えば、上位レイヤで通知される。また、受信信号には、基地局１００のアンテナポートのいずれかを介して送信されたDMRSが含まれる。
【００５６】
信号分離部２０２は、誤り訂正復号部２０４から入力されるePDCCHの割当情報、DMRSアンテナポート情報を参照して、受信部２０１から入力される受信信号の中から、制御信号を抽出し、抽出した制御信号を制御信号処理部２０５に出力する。また、信号分離部２０２は、受信部２０１から入力される受信信号の中から、制御信号処理部２０５から入力されるDL assignmentが示すデータリソースに対応する信号（つまり、DLデータ信号）を抽出し、抽出した信号を復調部２０３に出力する。
【００５７】
復調部２０３は、信号分離部２０２から出力されたデータ信号を復調し、当該復調された信号を誤り訂正復号部２０４へ出力する。
【００５８】
誤り訂正復号部２０４は、復調部２０３から出力された信号を復号し、得られた受信データ信号を出力する。誤り訂正復号部２０４は、受信データ信号のうち、基地局１００から上位レイヤによって通知されたePDCCHの割当情報、DMRSアンテナポート情報を信号分離部２０２及び制御信号処理部２０５へ出力する。
【００５９】
制御信号処理部２０５は、誤り訂正復号部２０４から入力されるePDCCHの割当情報、DMRSアンテナポート情報を参照して、受信信号に含まれたDMRSを用いて、信号分離部２０２から受け取る制御信号である各PDCCH又は各ePDCCHに対してブラインド復号を行うことにより、自機宛の制御信号（DL assignment又はUL grant）を検出する。制御信号処理部２０５は、検出した自機宛のDL assignmentを信号分離部２０２へ出力し、検出した自機宛のUL grantを信号割当部２０８へ出力する。
【００６０】
誤り訂正符号化部２０６は、送信データ信号（ULデータ信号）を入力とし、その送信データ信号を誤り訂正符号化し、変調部２０７へ出力する。なお、送信データ信号には、上述したメジャメントレポート及びCQI値などの、端末２００の受信品質に関する情報が含まれる。
【００６１】
変調部２０７は、誤り訂正符号化部２０６から出力された信号を変調し、変調信号を信号割当部２０８へ出力する。
【００６２】
信号割当部２０８は、変調部２０７から出力された信号を、制御信号処理部２０５から受け取るUL grantに従って割り当て、送信部２０９へ出力する。
【００６３】
送信部２０９は、入力信号に対してアップコンバート等の送信処理を施し、送信する。
【００６４】
［基地局１００及び端末２００の動作］
以上の構成を有する基地局１００及び端末２００の動作について説明する。
【００６５】
まず、上述したように、DMRSアンテナポートとして設定される２つのアンテナポートの組み合わせとして、符号多重されないアンテナポート７，９を用いる場合について詳細に説明する。
【００６６】
図６Ａは、符号多重されないアンテナポート７，９にDMRSを割り当てる場合のリソース配置を示す。図６Ａに示すように、アンテナポート７，９に割り当てられるDMRS（DMRS(port 7)及びDMRS(port 9)）は異なるRE（異なる周波数）に配置される。すなわち、符号多重されないアンテナポートの組み合わせは、割り当てられるDMRSが異なるREに配置されるアンテナポートの組み合わせである。これにより、図６Ｂに示すように、異なる周波数リソースにそれぞれ配置されるDMRSに対してパワーブースティングを適用することができる。例えば、図６Ｂでは、アンテナポート７，９（図６ＢではTx#1又はTx#2）にそれぞれ割り当てられるDMRS1，2の送信電力がデータ信号の送信電力の２倍に設定される。これにより、符号多重されないアンテナポート７，９にDMRSを割り当てる場合には、チャネル推定精度を改善することができる。
【００６７】
ただし、図６Ａに示すように、アンテナポート７に割り当てられるDMRSは、図１に示すアンテナポート７のRE（PRBペア当り12RE）に配置される。同様に、アンテナポート９に割り当てられるDMRSは、図１に示すアンテナポート９のRE（PRBペア当り12RE）に配置される。つまり、図６ＡにおいてDMRSはPRBペア当り24REのREに配置され、アンテナポート７，８にDMRSを割り当てる場合（図１参照）の２倍のリソースが必要となる。よって、図６Ａに示すように、符号多重されないアンテナポート７，９にDMRSを割り当てる場合には、DMRS用のリソース量（RE数）が比較的多くなる分、ePDCCH用のリソース量（RE数）を多く確保できないので、ePDCCHのRE総数に対するePDCCHにおける送信情報量[bit]の割合で示されるePDCCHの符号化率が上昇し、端末２００の受信特性が劣化してしまう。
【００６８】
これに対して、DMRSアンテナポートとして設定される２つのアンテナポートの組み合わせとして、符号多重されるアンテナポート７，８を用いる場合について考える。
【００６９】
図７Ａは、符号多重されるアンテナポート７，８にDMRSを割り当てる場合のリソース配置を示す。図７Ａに示すように、DMRS（DMRS(port 7)及びDMRS(port 8)）は、符号多重されるアンテナポート７，８に割り当てられるので、図７ＡにおいてDMRSはPRBペア当り12REのREに配置される。つまり、図７Ａに示すように、符号多重されるアンテナポート７，８にDMRSを割り当てることで、符号多重されないアンテナポート７，９にDMRSを割り当てる場合（図６Ａ）と比較して、DMRS用のリソース量を減少させることができる分、ePDCCH用のリソース量（RE数）をより多く確保できる。
【００７０】
例えば、ePDCCHでは、各PRBペア（例えば図１参照）を複数のリソースに分割することが検討されている。RBペア内で分割されたリソースをCCE(control channel elements)と呼ぶ。また、ePDCCHの変調方式はQPSKで固定されているとする。よって、ePDCCHでは、DMRSとePDCCHとにそれぞれ割り当てられるRE数に依存してePDCCHの符号化率が異なる。一例として、ePDCCHにおいて１つのCCEを構成するRE数を32REsとする。この場合、図６Ａと同様にアンテナポート７，９にDMRSを割り当てる場合、各CCEにおいてDMRSに使用されるREを4REsとすると、当該CCEにおいてePDCCHに使用されるREは残りの28REsとなる。一方、図７Ａと同様にアンテナポート７，８にDMRSを割り当てる場合、各CCEにおいてDMRSに使用されるREを2REsとすると、当該CCEにおいてePDCCHに使用されるREは残りの30REsとなる。つまり、図７Ａのようにしてアンテナポート７，８にDMRSを割り当てる場合には、図６Ａと比較して、ePDCCHの符号化率が低くなり、符号化利得を改善できるので、端末２００の受信特性を向上させることができる。
【００７１】
ただし、図７Ａに示すように、アンテナポート７，８に割り当てられるDMRS（DMRS(port 7)及びDMRS(port 8)）は同一RE（同一周波数）に配置される。すなわち、符号多重されるアンテナポートの組み合わせは、割り当てられるDMRSが同一REに配置されるアンテナポートの組み合わせである。このため、全アンテナポートの総送信電力を一定（例えば、図６Ｂと同様、最大でアンテナポートあたりのデータ信号の送信電力の２倍）とした場合には、図７Ｂに示すように、DMRSに対してパワーブースティングを適用することができない。このため、符号多重されるアンテナポート７，８にDMRSを割り当てる場合には、チャネル推定精度を改善することができない。
【００７２】
このように、図６Ａと図７Ａとを比較すると、図６Ａのように符号多重されないアンテナポート７，９にDMRSを割り当てる場合には、符号化利得を得にくいものの、チャネル推定精度を改善することができる。一方、図７Ａのように符号多重されるアンテナポート７，８にDMRSを割り当てる場合には、チャネル推定精度を改善することができないものの、符号化利得を改善できる。
【００７３】
ここで、図８は、図６Ａ及び図７Ａにおいて、DMRSを考慮したePDCCHの符号化率を表す「送信情報量／ePDCCH用のRE総数」（横軸）と、所要SNR（縦軸）との関係を示す。図８では、アンテナポート７，９をDMRSに割り当てる場合（図６Ａ）の特性を実線で表し、アンテナポート７，８をDMRSに割り当てる場合（図７Ａ）の特性を破線で表す。
【００７４】
図８に示す符号化率が高い領域では、端末２００の受信品質（例えばSNR）が良好であることが想定される。すなわち、図８に示す符号化率が高い領域では、アンテナポート７，９にDMRSを割り当てる場合（実線）及びアンテナポート７，８にDMRSを割り当てる場合（破線）の双方においてチャネル推定精度が良好であることが想定される。よって、図８に示す符号化率が高い領域では、端末２００の受信特性を向上させるためには、チャネル推定精度の改善効果を得ることよりも、１CCEあたりのePDCCH用のRE数を増加させて符号化率を低くして、符号化利得を得ることの方が効果的である。以上より、図８に示す符号化率が高い領域では、アンテナポート７，９にDMRSを割り当てる場合（実線）と比較して、アンテナポート７，８にDMRSを割り当てる場合（破線）の方が、同一符号化率における所要SNRがより低くなる（符号化率が高い領域において実線の楕円で囲まれた部分）。
【００７５】
一方、図８に示す符号化率が低い領域では、端末２００の受信品質（例えばSNR）が劣悪であることが想定される。すなわち、図８に示す符号化率が低い領域では、アンテナポート７，９にDMRSを割り当てる場合（実線）及びアンテナポート７，８にDMRSを割り当てる場合（破線）の双方においてチャネル推定精度が劣悪であることが想定される。また、図８に示すように、符号化率が低い領域では、符号化率が高い領域と比較して、符号化率の変化に対する所要SNRの変化の度合が小さい。よって、図８に示す符号化率が低い領域では、端末２００の受信特性を向上させるためには、符号化率を多少高くしてでも、チャネル推定精度を向上させた方が効果的である。以上より、図８に示す符号化率が低い領域では、アンテナポート７，８にDMRSを割り当てる場合（破線）と比較して、アンテナポート７，９にDMRSを割り当てる場合（実線）の方が、同一符号化率における所要SNRがより低くなる（符号化率が低い領域において実線の楕円で囲まれた部分）。
【００７６】
つまり、図８に示す符号化率が低い領域（すなわち、劣悪な受信品質が想定される場合）において、符号多重されないアンテナポート７，９にDMRSを割り当てて、パワーブーストを適用することにより、端末２００の受信特性を向上させることがより効果的である。これに対して、図８に示す符号化率が高い領域（すなわち、良好な受信品質が想定される場合）において、符号多重されるアンテナポート７，８にDMRSを割り当てて、DMRSのオーバヘッドを低減し、符号化率を低下させることにより、端末２００の受信特性を向上させることがより効果的である。
【００７７】
このように、本実施の形態では、PRBペア内において、DMRSとePDCCHとにそれぞれ割り当てられるREの適切な数が、端末２００の受信品質（ePDCCHの符号化率（SNRの領域））によって異なることを着眼点としている。
【００７８】
そこで、本実施の形態では、基地局１００は、端末２００の受信品質に基づいて、ePDCCHにおけるDMRSアンテナポート（DMRSのリソース位置）を設定する。具体的には、基地局１００（設定部１０２）は、端末２００の受信品質が所定の基準を満たす場合（受信品質が良好である場合）には、DMRSアンテナポートとして、符号多重されるアンテナポート７，８を設定する。一方、基地局１００（設定部１０２）は、端末２００の受信品質が所定の基準を満たさない場合（受信品質が劣悪である場合）には、DMRSアンテナポートとして、符号多重されないアンテナポート７，９を設定する。
【００７９】
DMRSアンテナポートに設定されたアンテナポートの組み合わせを示すDMRSアンテナポート情報が基地局１００から端末２００へ通知される。
【００８０】
一方、端末２００において、制御信号処理部２０５は、基地局１００から通知されるDMRSアンテナポート情報に基づいて、DMRSが割り当てられたアンテナポート（リソース位置）を特定するとともに、ePDCCHが配置されたリソースを特定する。具体的には、制御信号処理部２０５は、端末２００の受信品質に基づいて、符号多重されるアンテナポート７，８、及び、符号多重されないアンテナポート７，９のいずれかを、DMRSアンテナポートとして、DMRSを特定する。すなわち、制御信号処理部２０５は、端末２００の受信品質が所定の基準を満たす場合（受信品質が良好である場合）には、符号多重されるアンテナポート７，８をDMRSアンテナポートとしてDMRSを復調する。一方、制御信号処理部２０５は、端末２００の受信品質が所定の基準を満たさない場合（受信品質が劣悪である場合）には、符号多重されないアンテナポート７，９をDMRSアンテナポートとしてDMRSを復調する。
【００８１】
このように、本実施の形態では、基地局１００は、端末２００の受信品質に基づいてDMRSアンテナポート（リソース位置）を選択する。これにより、端末２００の受信品質が良好（高SNR）である場合には符号化利得の向上により端末２００の受信特性を改善し、端末２００の受信品質が劣悪（低SNR）である場合にはチャネル推定精度の向上により端末２００の受信特性を改善することができる。
【００８２】
よって、本実施の形態によれば、ePDCCHにおいて２つのアンテナポートを用いた送信ダイバーシチを行う場合に端末２００の受信特性を向上させることができる。
【００８３】
なお、本実施の形態では、符号多重されるアンテナポート７，８がDMRSアンテナポートとして設定された場合に、例えば、DMRSアンテナポートとして使用されないアンテナポート９，１０に対応するリソース（RE）を端末２００のePDCCH用のリソースとして用いる場合について説明した。しかし、DMRSアンテナポートとして使用されないアンテナポート９，１０に対応するリソースは、端末２００のePDCCH用のリソースとして用いる場合に限定されない。
【００８４】
例えば、リソース利用効率の向上のため、同一PRBペア内で複数のePDCCHを多重できることが求められている。例えば、図９は１PRBペアを４つのCCE１〜４に分割する例を示す。この場合、基地局１００が同一PRBペア内で複数の端末向けのePDCCHを多重して送信することが考えられる。ただし、送信方法が異なる複数の端末向けのePDCCHを同一PRBペア内で多重する際、DMRSアンテナポートの設定によっては各端末の受信特性に影響を与えてしまう場合がある。以下、具体的に説明する。
【００８５】
ここでは、例えば、端末Ａに対して２アンテナポート送信ダイバーシチが設定され、端末Ｂに対して１アンテナポート送信が設定される場合について説明する。
【００８６】
例えば、端末Ａに対するDMRSアンテナポートとして、符号多重されないアンテナポート７，９が使用される場合、端末Ｂに対するDMRSアンテナポートとしては、アンテナポート８又は１０を用いる必要がある。この場合、端末ＢがDMRSアンテナポートとしてアンテナポート８又は１０のいずれを用いても、端末Ａと端末Ｂとの間では、同一REにおいてDMRSが配置され、符号多重される。このため、端末Ａ及び端末Ｂの各々のDMRSアンテナポート設定のみを考慮するとパワーブーストが適用可能であるものの、端末Ａ及び端末Ｂの双方のDMRSアンテナポート設定を考慮するとパワーブーストを適用できない。このため、端末Ａ及び端末Ｂに対するDMRSの送信電力を下げる必要がある。よって、図１０Ａに示すように、端末Ａ及び端末Ｂを多重する場合（破線）には、端末Ａ及び端末Ｂを多重しない場合（実線）と比較して、チャネル推定精度が劣化し、各端末のＢＥＲ（Bit Error Rate）特性が劣化する。
【００８７】
一方、端末Ａに対するDMRSアンテナポートとして、符号多重されるアンテナポート７，８が使用される場合、端末Ｂに対するDMRSアンテナポートとしては、アンテナポート９又は１０を用いる必要がある。この場合、端末Ａと端末Ｂとの間では、異なるREにおいてDMRSが配置されるので、互いに符号多重されない。このため、端末Ａ及び端末Ｂの双方に対してパワーブーストが適用可能となるので、端末Ａ及び端末Ｂに対するDMRSの送信電力を下げる必要はない。よって、図１０Ｂに示すように、端末Ａ及び端末Ｂを多重する場合（破線）でも、端末Ａ及び端末Ｂを多重しない場合（実線）と比較して、チャネル推定精度を維持し、各端末のＢＥＲ特性を維持することができる。
【００８８】
そこで、基地局１００（設定部１０２）は、端末Ａ（端末２００）に対して符号多重されないアンテナポート７，８を設定する場合、アンテナポート７，８以外の他のアンテナポート９，１０のいずれか１つを、１アンテナポート送信が設定された他の端末Ｂ向けの信号の送信に用いられるアンテナポートとして設定してもよい。こうすることで、各端末向けのePDCCHは、端末間で符号多重されないDMRSアンテナポートを使用して送信されるため、パワーブーストが適用可能となり、互いにDMRSの送信電力を下げる必要が無い。このため、各端末では、複数の端末が多重されない場合と同等のチャネル推定精度を維持することができる。
【００８９】
また、本実施の形態において、複数のコンポーネントキャリア（CC：Component Carrier）を束ねて使用するキャリアアグリゲーション（CA：Carrier Aggregation）が適用されている場合、基地局１００は、端末２００を割り当て可能なCC毎の受信品質に基づいて、ePDCCHにおけるDMRSアンテナポートを設定する。具体的には、設定部１０２は、誤り訂正復号部１１２から入力される、各端末２００から報告された端末２００を割り当て可能なCC毎の受信品質に関する情報を用いて、端末２００のePDCCHを送信するCCの受信品質が所定の基準を満たす場合（受信品質が良好である場合）には、DMRSアンテナポートとして、符号多重されるアンテナポート７，８を設定する。一方、設定部１０２は、端末２００のePDCCHを送信するCCの受信品質が所定の基準を満たさない場合（受信品質が劣悪である場合）には、DMRSアンテナポートとして、符号多重されないアンテナポート７，９を設定する。そして、DMRSアンテナポートとして設定されたアンテナポートの組み合わせを示すDMRSアンテナポート情報が基地局１００から端末２００へCC単位でのＲＲＣシグナリングによって通知される。一方、端末２００において、制御信号処理部２０５は、基地局１００から通知された、ePDCCHが送信されるCCのDMRSアンテナポート情報に基づいて、DMRSが割り当てられたアンテナポート（リソース位置）を特定し、受信処理を行う。これにより、CC毎にDMRSアンテナポートを切り換えることができ、CC毎に異なるDMRSアンテナポートの運用を行うことが可能となる。
【００９０】
また、本実施の形態において、基地局１００は、DMRSアンテナポート情報を端末２００へ通知せずに、端末２００が、DMRSアンテナポートがアンテナポート７，８である場合及びアンテナポート７，９である場合の双方を仮定して復調処理を行った上で、制御信号の抽出（ブラインド復号）を行ってもよい。これにより、DMRSアンテナポート情報の通知が不要となる。
【００９１】
また、本実施の形態において、DMRSアンテナポート情報の明示的な通知をＲＲＣ（Radio Resource Control）シグナリングによって行う場合、端末２００は、当該シグナリングを受け取った直後の所定期間では、当該シグナリング前に通知されているDMRSアンテナポート情報を用いてもよい。これは、シグナリング後の所定期間は、基地局１００において基地局１００からのシグナリング内容を端末２００が反映したか否かを確定的に認識することができない期間（不確定期間）に相当するためである。すなわち、端末２００は、当該シグナリングを受け取った直後の所定期間（不確定期間）では、例外処理として、シグナリング前のDMRSアンテナポート情報を用いる。こうすることで、基地局１００は、シグナリング直後の不確定期間においても上り回線信号を正しく受信することができる。なお、端末２００は、上記不確定区間において、DMRSアンテナポート情報を用いずに、DMRSアンテナポートがアンテナポート７，８である場合及びアンテナポート７，９である場合の双方を仮定して復調処理を行った上で、制御信号の抽出（ブラインド復号）を行ってもよい。こうすることで、基地局１００は、シグナリング直後の不確定期間においても、最新のDMRSアンテナポート情報に基づく上り回線信号を正しく受信することができる。
【００９２】
［実施の形態２］
本実施の形態に係る基地局及び端末は、実施の形態１に係る基地局１００及び端末２００と基本構成が共通するので、図４，図５を援用して説明する。
【００９３】
本実施の形態では、設定部１０２で生成される受信品質情報として、ePDCCHにおいて端末２００に設定されたアグリゲーションレベルを用いる。
【００９４】
アグリゲーションレベルは、ePDCCHの送信に使用されるCCE数（リソース量）を表す。よって、端末２００の受信品質が劣悪である場合には符号化率を低くするために、アグリゲーションレベルは高く設定される。一方、端末２００の受信品質が良好である場合には符号化率を高くするために、アグリゲーションレベルは低く設定される。
【００９５】
そこで、基地局１００において、設定部１０２は、端末２００のアグリゲーションレベルに応じて、当該端末２００に使用するDMRSポートを設定する。具体的には、設定部１０２は、アグリゲーションレベルが所定の閾値NA以上の場合（受信品質が劣悪な場合）、DMRSアンテナポートとして、符号多重されないアンテナポート７，９を設定する。また、設定部１０２は、アグリゲーションレベルが所定の閾値NA未満の場合（受信品質が良好な場合）、DMRSアンテナポートとして、符号多重されるアンテナポート７，８を設定する。
【００９６】
なお、端末２００は所定のアグリゲーションレベルについて、ブラインド復号を行う。そこで、端末２００において、制御信号処理部２０５は、ブラインド復号を行うアグリゲーションレベルに基づいて、DMRSが割り当てられたアンテナポート（リソース位置）を特定するとともに、ePDCCHが配置されたリソースを特定する。すなわち、端末２００は、アグリゲーションレベルが所定の閾値NA以上の場合（受信品質が劣悪な場合）、符号多重されないアンテナポート７，９をDMRSアンテナポートとして特定する。また、端末２００は、アグリゲーションレベルが所定の閾値NA未満の場合（受信品質が良好な場合）、符号多重されるアンテナポート７，８をDMRSアンテナポートとして特定する。
【００９７】
なお、端末２００に設定されるアグリゲーションレベルは上位レイヤシグナリング等で基地局１００が端末２００に予め通知しても良い。これにより、端末２００では、ブラインド復号回数を削減することができる。
【００９８】
一例として、アグリゲーションレベルとしてレベル１、２、４、８の４つのレベルを有する場合について説明する(例えば、非特許文献１参照)。また、所定の閾値NAを２とする。
【００９９】
端末２００のアグリゲーションレベルが１の場合、アグリゲーションレベルが閾値NA未満であるので、設定部１０２は、DMRSアンテナポートとして、アンテナポート７，８を設定する。これにより、例えば、基地局１００は、端末２００に対して、残りのアンテナポート９，１０に対応するリソースにデータ信号を割り当てることで、ePDCCHの符号化率を低くすることが可能となる。つまり、DMRSに使用されるリソース量を低減し、符号化利得を改善することができる。また、アグリゲーションレベルが１の場合には端末２００の受信品質が良好であることが想定される。このため、DMRSに対してパワーブーストが適用されなくても端末２００では良好なチャネル推定精度を確保することができる。
【０１００】
一方、端末２００のアグリゲーションレベルが８の場合、アグリゲーションレベルが閾値NA以上であるので、設定部１０２は、DMRSアンテナポートとして、アンテナポート７，９を設定する。アグリゲーションレベルが８の場合（つまり、符号化率が低い場合）には、端末２００の受信品質が劣悪であることが想定される。このため、アグリゲーションレベルが８の場合には、DMRSに対してパワーブーストを適用することで端末２００ではチャネル推定精度を向上させることができる。アグリゲーションレベルが２，４の場合も同様である。
【０１０１】
このようにして、本実施の形態では、基地局１００は、端末２００に設定されるアグリゲーションレベルに基づいてDMRSアンテナポート（リソース位置）を選択する。これにより、アグリゲーションレベルが低い場合（受信品質が良好。高SNR）には符号化利得の向上により端末２００の受信特性を改善し、アグリゲーションレベルが高い場合（受信品質が劣悪。低SNR）にはチャネル推定精度の向上により端末２００の受信特性を改善することができる。よって、本実施の形態によれば、実施の形態１と同様、ePDCCHにおいて２つのアンテナポートを用いた送信ダイバーシチを行う場合に端末２００の受信特性を向上させることができる。
【０１０２】
また、本実施の形態によれば、さらに、DMRSアンテナポートの設定基準として、アグリゲーションレベルを用いる。つまり、本実施の形態では、端末２００は所定のアグリゲーションレベルについて、対応するDMRSアンテナポートを用いて復調処理及びブラインド復号を行うため、基地局１００から端末２００へのDMRSアンテナポート情報の通知が不要となる。また、アグリゲーションレベルが基地局１００から端末２００へ予め通知される場合は、端末２００のブラインド復号回数を削減できる。
【０１０３】
［実施の形態３］
本実施の形態に係る基地局及び端末は、実施の形態１に係る基地局１００及び端末２００と基本構成が共通するので、図４，図５を援用して説明する。
【０１０４】
本実施の形態では、設定部１０２で生成される受信品質情報として、端末２００から報告されるCQI値（例えば最新のCQI値）を用いる。
【０１０５】
端末２００から報告されるCQI値は端末２００の受信品質に応じた値が設定される。ここでは、CQI値が大きいほど、端末２００の受信品質が良好であることを表す。例えば、CQI値が所定値未満の場合、端末２００の受信品質は劣悪であり、CQI値が所定値以上の場合、端末２００の受信品質は良好である。
【０１０６】
基地局１００において、設定部１０２は、端末２００から報告されるCQI値に応じて、当該端末２００に使用するDMRSポートを設定する。具体的には、設定部１０２は、端末２００から報告される最新のCQI値が所定の閾値NC未満の場合（受信品質が劣悪な場合）、DMRSアンテナポートとして、符号多重されないアンテナポート７，９を設定する。また、設定部１０２は、端末２００から報告される最新のCQI値が閾値NC以上の場合（受信品質が良好な場合）、DMRSアンテナポートとして、符号多重されるアンテナポート７，８を設定する。
【０１０７】
一方、端末２００において、制御信号処理部２０５は、基地局１００へ報告した最新のCQI値に基づいて、DMRSが割り当てられたアンテナポート（リソース位置）を特定するとともに、ePDCCHが配置されたリソースを特定する。すなわち、端末２００は、最新のCQI値が所定の閾値NC未満の場合（受信品質が劣悪な場合）、符号多重されないアンテナポート７，９をDMRSアンテナポートとして特定する。また、端末２００は、最新のCQI値が閾値NC以上の場合（受信品質が良好な場合）、符号多重されるアンテナポート７，８をDMRSアンテナポートとして、特定する。
【０１０８】
このようにして、本実施の形態では、基地局１００は、端末２００から報告されるCQI値に基づいてDMRSアンテナポート（リソース位置）を選択する。これにより、CQI値が大きい場合（受信品質が良好。高SNR）には符号化利得の向上により端末２００の受信特性を改善し、CQI値が小さい場合（受信品質が劣悪。低SNR）にはチャネル推定精度の向上により端末２００の受信特性を改善することができる。よって、本実施の形態によれば、実施の形態１と同様、ePDCCHにおいて２つのアンテナポートを用いた送信ダイバーシチを行う場合に端末２００の受信特性を向上させることができる。
【０１０９】
また、本実施の形態によれば、さらに、DMRSアンテナポートの設定基準として、端末２００から基地局１００へ報告されるCQI値を用いる。つまり、本実施の形態では、DMRSアンテナポートの設定基準として、基地局１００と端末２００との間で共通の情報を用いるため、基地局１００から端末２００へのDMRSアンテナポート情報の通知が不要となる。
【０１１０】
［実施の形態４］
本実施の形態に係る基地局及び端末は、実施の形態１に係る基地局１００及び端末２００と基本構成が共通するので、図４，図５を援用して説明する。
【０１１１】
本実施の形態では、設定部１０２で生成される受信品質情報として、１PRBペアを構成する複数のCCEのうち、端末２００に使用されるCCE数、つまり、１PRBペアあたりの端末２００が使用するCCE数を用いる。
【０１１２】
端末２００の受信品質が劣悪である場合には符号化率を低くするために、端末２００向けの信号はより多くのCCEを用いて送信されることが想定される。一方、端末２００の受信品質が良好である場合には符号化率を高くするために、端末２００向けの信号はより少ないCCEを用いて送信されることが想定される。
【０１１３】
そこで、基地局１００において、設定部１０２は、端末２００向けの送信に使用される１PRBペアあたりのCCE数に応じて、当該端末２００に使用するDMRSポートを設定する。具体的には、設定部１０２は、１PRBペアあたりの端末２００が使用するCCE数が所定の閾値N以上の場合（受信品質が劣悪な場合）、DMRSアンテナポートとして、符号多重されないアンテナポート７，９を設定する。また、設定部１０２は、１PRBペアあたりの端末２００が使用するCCE数が閾値N未満の場合（受信品質が良好な場合）、DMRSアンテナポートとして、符号多重されるアンテナポート７，８を設定する。
【０１１４】
なお、端末２００は、１PRBペアあたりの当該端末２００が使用するCCE数を予め認識して、制御信号のブラインド復号を行う。すなわち、端末２００は、DMRSアンテナポートの設定基準である１PRBペアあたりの端末２００が使用するCCE数を予め把握している。そこで、端末２００において、制御信号処理部２０５は、当該端末２００に設定された１PRBペアあたりのCCE数に基づいて、DMRSが割り当てられたアンテナポート（リソース位置）を特定するとともに、ePDCCHが配置されたリソースを特定する。すなわち、端末２００は、１PRBペアあたりのCCE数が所定の閾値N以上の場合（受信品質が劣悪な場合）、符号多重されないアンテナポート７，９をDMRSアンテナポートとして特定する。また、端末２００は、１PRBペアあたりのCCE数が閾値N未満の場合（受信品質が良好な場合）、符号多重されるアンテナポート７，８をDMRSアンテナポートとして特定する。
【０１１５】
一例として、図９に示すように、１PRBペアが４つのCCE１〜４に分割される場合について説明する。また、所定の閾値Nを４とする。
【０１１６】
１PRBペアあたりの端末２００が使用するCCE数が１〜３個のいずれかである場合、CCE数が閾値N未満であるので、設定部１０２は、DMRSアンテナポートとして、アンテナポート７，８を設定する。上述したように、１PRBペアあたりの端末２００が使用するCCE数が１〜３の場合、端末２００の受信品質が良好であることが想定される。このため、DMRSアンテナポートとして、アンテナポート７，８が設定されることで、実施の形態１と同様、端末２００において良好なチャネル推定精度を確保しつつ、符号化利得を改善することが可能となる。
【０１１７】
また、１PRBペアあたりの端末２００が使用するCCE数が１〜３個のいずれかである場合、当該PRBペアにおいて、端末２００に対して使用されるCCE以外の残りの１CCEを、１アンテナポート送信が設定された他の端末に対して割り当てられる可能性が高くなる。すなわち、基地局１００は、１PRBペアあたりの端末２００が使用するCCE数が閾値N未満の場合、端末２００に対してDMRSアンテナポートとして設定された、符号多重されるアンテナポート７，８以外の符号多重されないアンテナポート９，１０と、端末２００に使用されない残りのCCEとを用いて、１アンテナポート送信が設定された他の端末に対してDMRSを送信することが可能となる。これにより、端末２００向けのDMRS及び上記他の端末向けのDMRSのそれぞれに対してパワーブーストが適用可能となるので、多重時のDMRSの送信電力低下によるチャネル推定精度の劣化（例えば図１０Ａ参照）を防ぐことができる。
【０１１８】
一方、１PRBペアあたりの端末２００が使用するCCE数が４個の場合、CCE数が閾値N以上であるので、設定部１０２は、DMRSアンテナポートとして、アンテナポート７，９を設定する。これにより、端末２００向けのDMRSに対してパワーブーストを適用することで端末２００におけるチャネル推定精度を向上させることができる。なお、１PRBペアあたりの端末２００が使用するCCE数が閾値N以上の場合、当該PRBペアにおいて、端末２００に対して使用されるCCE以外の残りのCCEを、１アンテナポート送信が設定された他の端末に対して割り当てられる可能性は低い。特に、ここでは、１PRBペアあたりの端末２００が使用するCCE数が４個の場合、１PRBペア内の全てのCCEが端末２００に対して使用され、他の端末に対してリソースを割り当てることができない。このため、端末２００に対するDMRSアンテナポートとして、符号多重されないアンテナポート７，９を設定する場合には、複数の端末が多重される際のDMRSの送信電力低下によるチャネル推定精度の劣化（例えば図１０Ａ参照）が発生する可能性がない。
【０１１９】
なお、基地局１００から端末２００に対して、上位レイヤを介して、DMRSアンテナポートとしてアンテナポート７，８を使用するように指示されていた場合でも、上記例のように、端末２００が１PRBペア内の全てのCCEを占有する場合には、当該PRBペア内に他の端末向けの信号を多重する余地が無い。そこで、基地局１００は、端末２００が１PRBペア内の全てのCCEを占有する場合には、上位レイヤによる通知に依らず、端末２００に対して、チャネル推定精度の改善が見込めるDMRSアンテナポート（例えばアンテナポート７，９）を設定すればよい。
【０１２０】
このようにして、本実施の形態では、基地局１００は、１PRBペアあたりの端末２００が使用するCCE数に基づいてDMRSアンテナポート（リソース位置）を選択する。これにより、１PRBペアあたりの端末２００が使用するCCE数が少ない場合（受信品質が良好。高SNR）には符号化利得の向上により端末２００の受信特性を改善し、１PRBペアあたりの端末２００が使用するCCE数が多い場合（受信品質が劣悪。低SNR）にはチャネル推定精度の向上により端末２００の受信特性を改善することができる。よって、本実施の形態によれば、実施の形態１と同様、ePDCCHにおいて２つのアンテナポートを用いた送信ダイバーシチを行う場合に端末２００の受信特性を向上させることができる。
【０１２１】
また、本実施の形態によれば、さらに、DMRSアンテナポートの設定基準として、端末２００が予め把握しているパラメータである１PRBペアあたりの端末２００が使用するCCE数を用いる。つまり、本実施の形態では、DMRSアンテナポートの設定基準として、基地局１００と端末２００との間で共通の情報を用いるため、基地局１００から端末２００へのDMRSアンテナポート情報の通知が不要となる。
【０１２２】
また、本実施の形態によれば、１PRBペアあたりの端末２００が使用するCCE数が少ない場合には、端末２００に対するDMRSアンテナポートとして、符号多重されるアンテナポートを用いる。こうすることで、２アンテナポート送信が設定される端末と、１アンテナポート送信が設定される端末とが多重可能な場合でも、多重による双方の端末のチャネル推定精度の劣化（例えば図１０Ａ参照）を回避できるように２アンテナポート送信が設定された端末に対するDMRSアンテナポートを選択できるので、リソース利用効率を向上させることができる。
【０１２３】
［実施の形態５］
本実施の形態に係る基地局及び端末は、実施の形態１に係る基地局１００及び端末２００と基本構成が共通するので、図４，図５を援用して説明する。
【０１２４】
本実施の形態では、設定部１０２で生成される受信品質情報として、端末２００に設定されるサブフレームがlow power ABSであるか通常のサブフレーム（ノーマルサブフレーム。又は、non ABSと呼ぶこともある）であるかを示す情報を用いる。
【０１２５】
low power ABSは、セル間干渉の低減を目的として、ノーマルサブフレームよりも低い電力を用いてePDCCH又はPDSCHが送信されるサブフレームである。よって、low power ABSが設定される端末２００の受信品質は、ノーマルサブフレームが設定される端末２００の受信品質よりも劣悪であることが想定される。すなわち、本実施の形態では、端末２００にlow power ABSが設定される場合、端末２００の受信品質が劣悪であり、端末２００にノーマルサブフレームが設定される場合、端末２００の受信品質が良好であることが想定される。
【０１２６】
そこで、基地局１００において、設定部１０２は、端末２００に設定されるサブフレームに応じて、当該端末２００に使用するDMRSポートを設定する。具体的には、設定部１０２は、端末２００に設定されるサブフレームがlow power ABSである場合（受信品質が劣悪な場合）、DMRSアンテナポートとして、符号多重されないアンテナポート７，９を設定する。また、設定部１０２は、端末２００に設定されるサブフレームがノーマルサブフレームの場合（受信品質が良好な場合）、DMRSアンテナポートとして、符号多重されるアンテナポート７，８を設定する。
【０１２７】
なお、端末２００に設定されるサブフレームがlow power ABSであるかノーマルサブフレームであるかを指示する情報は、基地局１００から端末２００に対して予め通知されている。そこで、端末２００において、制御信号処理部２０５は、通知されている情報に示されるサブフレームの種類に基づいて、DMRSが割り当てられたアンテナポート（リソース位置）を特定するとともに、ePDCCHが配置されたリソースを特定する。すなわち、端末２００は、low power ABSが設定されている場合（受信品質が劣悪な場合）には、符号多重されないアンテナポート７，９をDMRSアンテナポートとして特定する。また、端末２００は、ノーマルサブフレームが設定されている場合（受信品質が良好な場合）、符号多重されるアンテナポート７，８をDMRSアンテナポートとして特定する。
【０１２８】
このようにして、本実施の形態では、基地局１００は、端末２００に設定されるサブフレームの種類に基づいてDMRSアンテナポート（リソース位置）を選択する。これにより、ノーマルサブフレームの場合（受信品質が良好。高SNR）には符号化利得の向上により端末２００の受信特性を改善し、low power ABSの場合（受信品質が劣悪。低SNR）にはチャネル推定精度の向上により端末２００の受信特性を改善することができる。よって、本実施の形態によれば、実施の形態１と同様、ePDCCHにおいて２つのアンテナポートを用いた送信ダイバーシチを行う場合に端末２００の受信特性を向上させることができる。
【０１２９】
また、本実施の形態によれば、さらに、DMRSアンテナポートの設定基準として、基地局１００から端末２００へ予め通知されているサブフレームの情報を用いる。つまり、本実施の形態では、DMRSアンテナポートの設定基準として、基地局１００と端末２００との間で共通の情報を用いるため、基地局１００から端末２００へのDMRSアンテナポート情報の通知が不要となる。
【０１３０】
［実施の形態６］
本実施の形態に係る基地局及び端末は、実施の形態１に係る基地局１００及び端末２００と基本構成が共通するので、図４，図５を援用して説明する。
【０１３１】
本実施の形態では、端末２００に設定されるDMRSアンテナポートの組み合わせと、端末２００に設定されるePDCCH用のリソース（RB）とが対応付けられる。
【０１３２】
図１１は、端末２００に設定されるDMRSアンテナポートの組み合わせと、端末２００に設定されるePDCCH用のリソース（RB）との対応付けの一例を示す。図１１では、DMRSアンテナポートの組み合わせとして、符号多重されるアンテナポート７，８のペア、及び、符号多重されないアンテナポート７，９のペアを用いる。
【０１３３】
図１１に示すように、RB#1,#4,#7,#10には、アンテナポート７，９（port7,9）が対応付けられ、RB#2,#8には、アンテナポート７，８（port7,8）が対応付けられている。このように、端末２００に対して割当可能な複数のRBの各々に対して、アンテナポート７，９のペア又はアンテナポート７，８のペアのいずれか一方がそれぞれ対応付けられる。
【０１３４】
基地局１００は、端末２００に設定されるDMRSアンテナポートの組み合わせと、端末２００に設定されるePDCCH用のリソース（RB）との対応付けを予め設定する。そして、基地局１００は、上記対応付けを上位レイヤを介して端末２００へ予め通知する。これにより、上記対応付けは基地局１００と端末２００との間で共有される。
【０１３５】
基地局１００は、各端末２００の受信品質に基づいて、各端末２００向けのePDCCHの信号の送信に用いるリソース（RB）を割り当てる。例えば、図１１では、ePDCCH1〜ePDCCH4のうち、ePDCCH1は受信品質が最も悪い端末向けのePDCCHとし、ePDCCH2は受信品質が２番目に悪い端末向けのePDCCHとし、ePDCCH3は受信品質が３番目に悪い端末向けのePDCCHとし、ePDCCH4は受信品質が最も良い端末向けのePDCCHとする。なお、図１１に示すように、受信品質が劣悪な端末（例えばePDCCH1又はePDCCH2の送信対象）は、高いアグリゲーションレベルが設定された端末とも言える。同様に、図１１に示すように、受信品質が良好な端末（例えばePDCCH3又はePDCCH4の送信対象）は、低いアグリゲーションレベルが設定された端末とも言える。
【０１３６】
図１１に示すように、基地局１００は、ePDCCH1又はePDCCH2の送信対象である端末２００（受信品質が比較的劣悪な端末）に対して、RB#1,#4,#7,#10のいずれかを割り当て、ePDCCH3の送信対象である端末２００（受信品質が比較的良好な端末）に対して、RB#2,RB#8のいずれかを割り当て、ePDCCH4の送信対象である端末２００（受信品質が比較的良好な端末）に対して、RB#2を割り当てる。
【０１３７】
次いで、基地局１００（設定部１０２）は、端末２００の受信品質に基づいて割り当てたRBに対応付けられたアンテナポートを、DMRSアンテナポートとして設定する。図１１では、設定部１０２は、ePDCCH1又はePDCCH2の送信対象である端末２００に対して、RB#1,#4,#7,#10に対応付けられたアンテナポート７，９を設定する。また、図１１では、設定部１０２は、ePDCCH3又はePDCCH4の送信対象である端末２００に対して、RB#2,RB#8に対応付けられたアンテナポート７，８を設定する。
【０１３８】
このように、図１１に示すように、基地局１００は、受信品質が劣悪な端末２００に対して、アンテナポート７，９に対応付けられたリソース（図１１ではRB#1,#4,#7,#10のいずれか）を優先的に割り当てる。こうすることで、端末２００では、実施の形態１と同様、チャネル推定精度の向上により受信特性を改善できる。一方、図１１に示すように、基地局１００は、受信品質が良好な端末２００に対して、アンテナポート７，８に対応付けられたリソース（図１１ではRB#2,RB#8のいずれか）を優先的に割り当てる。こうすることで、端末２００では、実施の形態１と同様、符号化利得の向上により受信特性を改善できる。
【０１３９】
一方、端末２００（制御信号処理部２０５）は、自機宛の制御信号（割当情報）を検出して、自機向けのePDCCHに割り当てられたリソース（RB）を特定する。そして、端末２００（制御信号処理部２０５）は、ePDCCH用のリソースとDMRSアンテナポートとの対応付けを参照して、特定したリソースに対応付けられたアンテナポートを、DMRSアンテナポートとして特定するとともに、ePDCCHが配置されたリソースを特定する。
【０１４０】
例えば、図１１において、端末２００は、自機向けのePDCCHに割り当てられたリソースがRB#1,#4,#7,#10のいずれかである場合、アンテナポート７，９をDMRSアンテナポートとして特定する。同様に、図１１において、端末２００は、自機向けのePDCCHに割り当てられたリソースがRB#2,#8のいずれかである場合、アンテナポート７，８をDMRSアンテナポートとして特定する。
【０１４１】
こうすることで、基地局１００から端末２００へのDMRSアンテナポート情報の通知が不要となる。
【０１４２】
また、実施の形態１で説明したDMRSアンテナポート情報は上位レイヤを介して通知する必要があるので、端末２００に対してDMRSアンテナポートの切替を高速に（例えばサブフレーム単位で）行うことができない。これに対して、本実施の形態では、サブフレーム単位で制御可能なリソース割当に応じてDMRSアンテナポートの切替を行うことができる。すなわち、端末２００に対してDMRSアンテナポートの切替を高速に行うことが可能となる。
【０１４３】
また、DMRSアンテナポート情報を通知する代わりに、端末２００が、DMRSアンテナポートとして取り得る全ての組み合わせ（例えば、アンテナポート７，８の組み合わせとアンテナポート７，９の組み合わせ）についてブラインド復号することが考えられる。ただし、この場合、DMRSアンテナポート情報の通知が不要になるものの、端末２００での復調処理及びブラインド復号回数が増加してしまう。これに対して、本実施の形態では、端末２００に割り当てられたリソースと、DMRSアンテナポートの組み合わせとが１対１で対応付けられているので、復調処理及びブラインド復号回数の増加を回避できる。
【０１４４】
また、本実施の形態によれば、実施の形態１と同様、ePDCCHにおいて２つのアンテナポートを用いた送信ダイバーシチを行う場合に端末２００の受信特性を向上させることができる。
【０１４５】
なお、本実施の形態において、符号多重されないDMRSアンテナポートの組み合わせ（例えばアンテナポート７，９）に対応するRBと、符号多重されるDMRSアンテナポートの組み合わせ（例えばアンテナポート７，８）に対応するRBとの配分を、基地局１００配下の端末２００の受信品質状況に応じて変更してもよい。
【０１４６】
［実施の形態７］
本実施の形態に係る基地局及び端末は、実施の形態１に係る基地局１００及び端末２００と基本構成が共通するので、図４，図５を援用して説明する。
【０１４７】
本実施の形態では、端末２００に設定されるDMRSアンテナポートの組み合わせと、端末２００に設定されるePDCCHを割り当て可能なコンポーネントキャリア（CC）とが対応付けられる。
【０１４８】
図１２は、端末２００に設定されるDMRSアンテナポートの組み合わせと、端末２００に設定されるePDCCHを割り当て可能なCCとの対応付けの一例を示す。図１２では、DMRSアンテナポートの組み合わせとして、符号多重されるアンテナポート７，８のペア、及び、符号多重されないアンテナポート７，９のペアを用いる。
【０１４９】
図１２に示すように、CC#1には、アンテナポート７，９（port7,9）が対応付けられ、CC#2には、アンテナポート７，８（port7,8）が対応付けられている。このように、端末２００に対して割当可能な複数のCCの各々に対して、アンテナポート７，９のペア又はアンテナポート７，８のペアのいずれか一方がそれぞれ対応付けられる。
【０１５０】
基地局１００は、端末２００に設定されるDMRSアンテナポートの組み合わせと、端末２００に設定されるePDCCHを割り当て可能なCCとの対応付けを予め設定する。そして、基地局１００は、上記対応付けを上位レイヤを介して端末２００へ予め通知する。これにより、上記対応付けは基地局１００と端末２００との間で共有される。
【０１５１】
基地局１００は、各端末２００の受信品質に基づいて、各端末２００向けのePDCCHの信号の送信に用いるCCを割り当てる。例えば、図１２では、ePDCCH1〜ePDCCH3のうち、ePDCCH1は受信品質が最も悪い端末向けのePDCCHとし、ePDCCH2は受信品質が２番目に悪い端末向けのePDCCHとし、ePDCCH3は受信品質が最も良い端末向けのePDCCHとする。なお、受信品質が劣悪な端末（例えばePDCCH1の送信対象）は、高いアグリゲーションレベルが設定された端末とも言える。同様に、図１２に示すように、受信品質が良好な端末（例えばePDCCH2又はePDCCH3の送信対象）は、低いアグリゲーションレベルが設定された端末とも言える。
【０１５２】
よって、図１２に示すように、基地局１００は、ePDCCH1の送信対象である端末２００（受信品質が劣悪な端末）に対してはCC#1を割り当て、ePDCCH2の送信対象である端末２００（受信品質が比較的良好な端末）に対してはCC#2を割り当て、ePDCCH3の送信対象である端末２００（受信品質が良好な端末）に対してはCC#2を割り当てる。
【０１５３】
次いで、基地局１００（設定部１０２）は、端末２００の受信品質に基づいて割り当てたCCに対応付けられたアンテナポートを、DMRSアンテナポートとして設定する。図１２では、設定部１０２は、ePDCCH1の送信対象である端末２００に対して、CC#1に対応付けられたアンテナポート７，９を設定する。また、図１２では、設定部１０２は、ePDCCH2又はePDCCH3の送信対象である端末２００に対して、CC#2に対応付けられたアンテナポート７，８を設定する。
【０１５４】
このように、図１２に示すように、基地局１００は、受信品質が劣悪な端末２００に対して、アンテナポート７，９に対応付けられたリソース（図１２ではCC#1）を優先的に割り当てる。こうすることで、端末２００では、実施の形態１と同様、チャネル推定精度の向上により受信特性を改善できる。一方、図１２に示すように、基地局１００は、受信品質が良好な端末２００に対して、アンテナポート７，８に対応付けられたリソース（図１２ではCC#2）を優先的に割り当てる。こうすることで、端末２００では、実施の形態１と同様、符号化利得の向上により受信特性を改善できる。
【０１５５】
一方、端末２００（制御信号処理部２０５）は、自機宛の制御信号（割当情報）を検出して、自機向けのePDCCHに割り当てられたコンポーネントキャリア（CC）を特定する。そして、端末２００（制御信号処理部２０５）は、CCとDMRSアンテナポートとの対応付けを参照して、特定したCCに対応付けられたアンテナポートを、DMRSアンテナポートとして特定するとともに、ePDCCHが配置されたCCを特定する。
【０１５６】
例えば、図１２において、端末２００は、自機向けのePDCCHに割り当てられたCCがCC#1である場合、アンテナポート７，９をDMRSアンテナポートとして特定する。同様に、図１２において、端末２００は、自機向けのePDCCHに割り当てられたCCがCC#2である場合、アンテナポート７，８をDMRSアンテナポートとして特定する。
【０１５７】
こうすることで、基地局１００から端末２００へのDMRSアンテナポート情報の通知が不要となる。
【０１５８】
また、実施の形態１で説明したDMRSアンテナポート情報は上位レイヤを介して通知する必要があるので、端末２００に対してDMRSアンテナポートの切替を高速に（例えばサブフレーム単位で）行うことができない。これに対して、本実施の形態では、サブフレーム単位で制御可能なCC割当に応じてDMRSアンテナポートの切替を行うことができる。すなわち、端末２００に対してDMRSアンテナポートの切替を高速に行うことが可能となる。
【０１５９】
また、DMRSアンテナポート情報を通知する代わりに、端末２００が、DMRSアンテナポートとして取り得る全ての組み合わせ（例えば、アンテナポート７，８の組み合わせとアンテナポート７，９の組み合わせ）についてブラインド復号することが考えられる。ただし、この場合、DMRSアンテナポート情報の通知が不要になるものの、端末２００での復調処理及びブラインド復号回数が増加してしまう。これに対して、本実施の形態では、端末２００に割り当てられたCCと、DMRSアンテナポートの組み合わせとが１対１で対応付けられているので、復調処理及びブラインド復号回数の増加を回避できる。
【０１６０】
また、本実施の形態によれば、実施の形態１と同様、ePDCCHにおいて２つのアンテナポートを用いた送信ダイバーシチを行う場合に端末２００の受信特性を向上させることができる。
【０１６１】
なお、本実施の形態において、符号多重されないDMRSアンテナポートの組み合わせ（例えばアンテナポート７，９）に対応するCCと、符号多重されるDMRSアンテナポートの組み合わせ（例えばアンテナポート７，８）に対応するCCとの配分を、基地局１００配下の端末２００のコンポーネントキャリア毎の受信品質状況に応じて変更してもよい。
【０１６２】
また、本実施の形態において、図１２においては一例として、受信品質が劣悪な端末に対してはCC#1を割り当て、受信品質が比較的良好な端末及び受信品質が良好な端末に対してはCC#2を割り当てるように説明したが、これに限定されない。例えば図１３のように、受信品質が劣悪な端末（ePDCCH1の送信対象である端末２００）及び受信品質が比較的良好な端末（ePDCCH2の送信対象である端末２００）に対してはCC#1を割り当て、受信品質が良好な端末（ePDCCH3の送信対象である端末２００）に対してはCC#2を割り当てるようにしてもよい。つまり、各ePDCCHをいずれのCCに含ませるかは、基地局１００配下の端末２００のコンポーネントキャリア毎の受信品質及びその受信品質に対応する端末数に応じて変更してもよい。その変更の際には、端末２００に対してePDCCHとCCとの対応関係の変更に関する情報を通知してもよい。
【０１６３】
［実施の形態８］
実施の形態６では、ePDCCH用の各RBとDMRSアンテナポートの組み合わせとの対応付けを基地局１００から端末２００へ予め通知する必要がある。上記対応付けの通知の際、符号多重されないDMRSアンテナポートの組み合わせ（例えばアンテナポート７，９）が対応付けられているか、符号多重されるDMRSアンテナポートの組み合わせ（例えばアンテナポート７，８）が対応付けられているかを示す情報（１ビット）を各RB毎に通知する必要がある。よって、ePDCCHにおいてＮ個のRBを使用する場合には上記対応付けの通知にＮビット必要となる。
【０１６４】
本実施の形態では、実施の形態６のようなePDCCH用の各RBとDMRSアンテナポートの組み合わせとの対応付けの通知に要するビット数を削減する方法について説明する。
【０１６５】
なお、本実施の形態に係る基地局及び端末は、実施の形態１に係る基地局１００及び端末２００と基本構成が共通するので、図４，図５を援用して説明する。
【０１６６】
ここで、ePDCCHの割当方法として、ePDCCHを周波数帯域上の互いに近い位置にまとめて割り当てる「localized割当」と、ePDCCHを周波数帯域上に分散させて割り当てる「distributed割当」が検討されている（例えば、図１４参照）。localized 割当は、周波数スケジューリングゲインを得るための割当方法であり、回線品質情報に基づいて回線品質の良いリソースにePDCCHを割り当てることができる。distributed割当は、周波数軸上にePDCCHを分散させて周波数ダイバーシチゲインを得ることができる。LTE-Advancedでは、localized割当及びdistributed割当の双方が設定されることが考えられる（例えば、図３参照）。
【０１６７】
すなわち、localized割当は、周波数スケジューリングゲインを得るための割当方法であり、回線品質情報に基づいて回線品質の良いリソースにePDCCHを割り当てることができるので、受信品質が良好であり、符号化率が高い端末に対して有効な割当方法である。
【０１６８】
一方、distributed割当は、周波数軸上にePDCCHを分散させて周波数ダイバーシチゲインを得ることにより、受信品質を安定化させる効果があるので、受信品質が劣悪であり、符号化率が低い端末に対して有効な割当方法である。
【０１６９】
また、ePDCCH用の各RBが、localized割当により設定されるか、distributed割当により設定されるかは、端末２００に対してexplicit又はimplicitに通知されている。
【０１７０】
本実施の形態では、端末２００に設定されるDMRSアンテナポートの組み合わせと、端末２００に設定されるePDCCHの割当方法（localized割当又はdistributed割当）とがそれぞれ対応付けられる。
【０１７１】
図１５は、端末２００に設定されるDMRSアンテナポートの組み合わせと、端末２００に設定されるePDCCHの割当方法との対応付けの一例を示す。図１５では、DMRSアンテナポートの組み合わせとして、符号多重されるアンテナポート７，８のペア、及び、符号多重されないアンテナポート７，９のペアを用いる。また、図１５では、ePDCCHの割当方法としてlocalized割当及びdistributed割当が設定される。
【０１７２】
図１５に示すように、distributed割当には、符号多重されないアンテナポート７，９（port7,9）が対応付けられ、localized割当には、符号多重されるアンテナポート７，８（port7,8）が対応付けられている。この場合、符号多重されないDMRSアンテナポートの組み合わせ（例えばアンテナポート７，９）が対応付けられているか、符号多重されるDMRSアンテナポートの組み合わせ（例えばアンテナポート７，８）が対応付けられているかを示す情報（１ビット）をePDCCHの割当方法毎に通知すればよい。つまり、基地局１００から端末２００への上記対応付けの通知に必要なビット数は、ePDCCH用のRB数に依らず、２ビット以内で済む。
【０１７３】
基地局１００は、端末２００に設定されるDMRSアンテナポートの組み合わせと、端末２００に設定されるePDCCHの割当方法との対応付けを予め設定する。そして、基地局１００は、上記対応付けを上位レイヤを介して端末２００へ予め通知する。これにより、上記対応付けは基地局１００と端末２００との間で共有される。
【０１７４】
基地局１００は、実施の形態６と同様、各端末２００の受信品質に基づいて、各端末２００向けのePDCCHの信号の送信に用いるリソース（RB）を割り当てる。そして、基地局１００（設定部１０２）は、端末２００に設定されたePDCCHの割当方法に対応付けられたアンテナポートを、DMRSアンテナポートとして設定する。
【０１７５】
図１５では、基地局１００（設定部１０２）は、distributed割当が設定された端末（受信品質が比較的劣悪な端末）に対して、アンテナポート７，９をDMRSアンテナポートとして設定する。こうすることで、端末２００では、実施の形態１と同様、チャネル推定精度の向上により受信特性を改善できる。一方、図１５では、基地局１００（設定部１０２）は、localized割当が設定された端末（受信品質が比較的良好な端末）に対して、アンテナポート７，８をDMRSアンテナポートとして設定する。こうすることで、端末２００では、実施の形態１と同様、符号化利得の向上により受信特性を改善できる。
【０１７６】
一方、端末２００は、端末２００に設定されたePDCCHの割当方法に基づいて、自機向けのePDCCHに割り当てられたリソース（RB）におけるDMRSアンテナポートを特定するとともに、ePDCCHが配置されたリソースを特定する。例えば、図１５において、端末２００は、自機向けのePDCCHの割当方法がdistributed割当の場合、アンテナポート７，９をDMRSアンテナポートとして特定する。同様に、図１５において、端末２００は、自機向けのePDCCHの割当方法がlocalized割当の場合、アンテナポート７，８をDMRSアンテナポートとして特定する。
【０１７７】
こうすることで、実施の形態６と比較して、ePDCCH用の各RBとDMRSアンテナポートの組み合わせとの対応付けの通知に要するビット数を削減することができる。また、実施の形態６と同様、基地局１００から端末２００へのDMRSアンテナポート情報の通知が不要となる。また、実施の形態６と同様、端末２００に対してDMRSアンテナポートの切替を高速に行うことが可能となる。また、端末２００に設定された割当方法と、DMRSアンテナポートの組み合わせとが１対１で対応付けられているので、実施の形態６と同様、復調処理及びブラインド復号回数の増加を回避できる。
【０１７８】
また、本実施の形態によれば、実施の形態１と同様、ePDCCHにおいて２つのアンテナポートを用いた送信ダイバーシチを行う場合に端末２００の受信特性を向上させることができる。
【０１７９】
［実施の形態９］
実施の形態７では、ePDCCH用の各CCとDMRSアンテナポートの組み合わせとの対応付けを基地局１００から端末２００へ予め通知する必要がある。上記対応付けの通知の際、符号多重されないDMRSアンテナポートの組み合わせ（例えばアンテナポート７，９）が対応付けられているか、符号多重されるDMRSアンテナポートの組み合わせ（例えばアンテナポート７，８）が対応付けられているかを示す情報（１ビット）をCC毎に通知する必要がある。よって、ePDCCHにおいてＮ個のCCを割り当て可能な場合には上記対応付けの通知にＮビット必要となる。
【０１８０】
本実施の形態では、実施の形態７のようなePDCCH用の各CCとDMRSアンテナポートの組み合わせとの対応付けの通知に要するビット数を削減する方法について説明する。
【０１８１】
なお、本実施の形態に係る基地局及び端末は、実施の形態１に係る基地局１００及び端末２００と基本構成が共通するので、図４，図５を援用して説明する。
【０１８２】
ここで、コンポーネントキャリアの種類として、効率的なユーザデータの伝送を目的としてPDCCHおよびCRSの少なくとも一方を送信しないコンポーネントキャリア（New Carrier Type(NCT)）が検討されている（図１６参照）。図１６のように、NCTのCCでは、PDCCHおよびCRSを送信しないため、従来のキャリア（backward compatible carrier）に比べ、PRB当りのePDCCHに割り当て可能なRE数を増やすことができる。従って、NCTにおけるDMRSアンテナポートの組み合わせとして、符号多重されないアンテナポートの組み合わせ（例えばport7,9のペア）を使用することにより、チャネル推定精度の改善を狙うことが可能となる。
【０１８３】
さらに、NCTは高いキャリア周波数で使用されることが想定され、電波の特性により、カバレッジが小さくなることが予想される。そのため、NCTにおけるDMRSアンテナポートの組み合わせとして、符号多重されないアンテナポートの組み合わせ（例えばport7,9のペア）を用いることでパワーブースティングを適用でき、カバレッジ縮小の影響を軽減することが可能となる。
【０１８４】
本実施の形態では、端末２００に設定されるDMRSアンテナポートの組み合わせと、端末２００に設定されるePDCCH用に割り当てられたCCの種類（NCTであるか否か）とがそれぞれ対応付けられる。
【０１８５】
図１７は、端末２００に設定されるDMRSアンテナポートの組み合わせと、端末２００に設定されるePDCCHに割り当てられたCCの種類（NCTであるか否か）との対応付けの一例を示す。図１７では、DMRSアンテナポートの組み合わせとして、符号多重されるアンテナポート７，８のペア、及び、符号多重されないアンテナポート７，９のペアを用いる。また、図１７では、ePDCCHに割り当てられたCCの種類としてNCTと非NCT（non NCT）が設定される。
【０１８６】
図１７に示すように、NCTのCC（CC#1）には、符号多重されないアンテナポート７，９（port7,9）が対応付けられ、非NCTのCC（CC#2）には、符号多重されるアンテナポート７，８（port7,8）が対応付けられている。この場合、符号多重されないDMRSアンテナポートの組み合わせ（例えばアンテナポート７，９）が対応付けられているか、符号多重されるDMRSアンテナポートの組み合わせ（例えばアンテナポート７，８）が対応付けられているかを示す情報（１ビット）を、ePDCCHを割り当て可能なCCの種類（NCTであるか否か）毎に通知すればよい。つまり、基地局１００から端末２００への上記対応付けの通知に必要なビット数は、ePDCCH用のCC数に依らず、２ビット以内で済む。
【０１８７】
基地局１００は、端末２００に設定されるDMRSアンテナポートの組み合わせと、端末２００に設定されるePDCCHを割り当て可能なCCの種類との対応付けを予め設定する。そして、基地局１００は、上記対応付けを上位レイヤを介して端末２００へ予め通知する。これにより、上記対応付けは基地局１００と端末２００との間で共有される。
【０１８８】
基地局１００は、実施の形態７と同様、各端末２００の受信品質に基づいて、各端末２００向けのePDCCHの信号の送信に用いるCCを割り当てる。そして、基地局１００（設定部１０２）は、端末２００に設定されたePDCCHを割り当て可能なCCの種類に対応付けられたアンテナポートを、DMRSアンテナポートとして設定する。
【０１８９】
図１７では、基地局１００（設定部１０２）は、受信品質が比較的劣悪な端末に対してNCTのCC（CC#1）を割り当て、アンテナポート７，９をDMRSアンテナポートとして設定する。こうすることで、端末２００では、実施の形態１と同様、チャネル推定精度の向上により受信特性を改善できる。一方、図１７では、基地局１００（設定部１０２）は、受信品質が比較的良好な端末に対して非NCTのCC（CC#2）を割り当て、アンテナポート７，８をDMRSアンテナポートとして設定する。こうすることで、端末２００では、実施の形態１と同様、符号化利得の向上により受信特性を改善できる。
【０１９０】
一方、端末２００は、端末２００に設定されたePDCCHの割当方法に基づいて、自機向けのePDCCHに割り当てられたCCにおけるDMRSアンテナポートを特定するとともに、ePDCCHが配置されたリソースを特定する。例えば、図１７において、端末２００は、自機向けのePDCCHの割当CCがCC#1の場合、アンテナポート７，９をDMRSアンテナポートとして特定する。同様に、図１７において、端末２００は、自機向けのePDCCHの割当CCがCC#2の場合、アンテナポート７，８をDMRSアンテナポートとして特定する。
【０１９１】
こうすることで、実施の形態７と比較して、ePDCCH用に割り当て可能なCCの種類とDMRSアンテナポートの組み合わせとの対応付けの通知に要するビット数を削減することができる。また、実施の形態７と同様、基地局１００から端末２００へのDMRSアンテナポート情報の通知が不要となる。また、実施の形態７と同様、端末２００に対してDMRSアンテナポートの切替を高速に行うことが可能となる。また、端末２００に設定された割当方法と、DMRSアンテナポートの組み合わせとが１対１で対応付けられているので、実施の形態７と同様、復調処理及びブラインド復号回数の増加を回避できる。
【０１９２】
また、本実施の形態によれば、実施の形態１と同様、ePDCCHにおいて２つのアンテナポートを用いた送信ダイバーシチを行う場合に端末２００の受信特性を向上させることができる。
【０１９３】
以上、本発明の各実施の形態について説明した。
【０１９４】
［他の実施の形態］
［１］上記各実施の形態では、参照信号を送信するためのアンテナポート数を２とする場合に限定して説明しているが、２以上のアンテナポートを用いる場合であれば、上記各実施の形態が同様に実施できる。より詳細には、基地局１００は、複数のアンテナポートを用いて端末２００へ参照信号を送信する際、端末２００の受信品質に基づいて、参照信号が互いに符号多重されないアンテナポートを含む組み合わせ、及び、参照信号が全てのアンテナポートで符号多重される組み合わせのいずれかを、上記複数のアンテナポートとして設定し、設定された複数のアンテナポートから参照信号を送信すればよい。つまり、参照信号を送信するためのアンテナポート数が２以上の場合であれば、上記実施の形態と同様、全て符号多重される複数のアンテナポートを用いるか、符号多重されない組み合わせを含む複数のアンテナポートを用いるかを切り替えることで、上記各実施の形態と同様の効果を得ることができる。
【０１９５】
例えば、4アンテナポートで参照信号（DMRS）を送信する場合について説明する。DMRSアンテナポートは８アンテナポートまで規定されており、図１８に示すように、アンテナポート７，８，１１，１３に割り当てられるDMRS（DMRS(port7,8,11,13)）が同一REで符号多重により配置される。また、図１８に示すように、アンテナポート９，１０，１２，１４に割り当てられるDMRS（DMRS(port9,10,12,14)）が同一REで符号多重により配置される。さらに、図１８に示すDMRS(port7,8,11,13)とDMRS(port9,10,12,14)とは異なるREに配置され、互いに符号多重されない。すなわち、図１９Ａに示すように、符号多重されないアンテナポートの組み合わせに割り当てられるDMRSに対しては、図１９Ｂに示すようにパワーブースティングを適用することで、チャネル推定精度を改善して、端末２００の受信特性を向上させることができる。また、図２０Ａに示すように符号多重されるアンテナポートの組み合わせに割り当てられるDMRSに対しては、図２０Ｂに示すようにパワーブーストが適用できないものの、図１９Ａと比較して、符号化利得を改善できるので、端末２００の受信特性を向上させることができる。従って、4アンテナポートを用いて参照信号（DMRS）を送信する場合について、図１９Ａに示すように、符号多重しないアンテナポートの組み合わせに対応するDMRS（例えば、DMRS(port 7,8,9,10)）を用いるか、図２０Ａに示すように、全てのDMRSが符号多重されるアンテナポートの組み合わせ（例えば、DMRS(port7,8,11,13)）を用いるか、を切換えることで上記各実施の形態と同様な効果が得られる。
【０１９６】
［２］上記各実施の形態では、DMRSアンテナポートの設定基準として、アグリゲーションレベル、CQI値、１PRBペアあたりの端末２００が使用するCCE数、サブフレームの種類、ePDCCHの割当方法などを用いる場合についてそれぞれ説明した。しかし、DMRSアンテナポートの設定基準として用いる情報は、これらに限らず、端末２００の受信品質を表す情報であればよい。
【０１９７】
［３］上記各実施の形態において、アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１９８】
例えば3GPP LTEにおいては、アンテナポートが何本の物理アンテナから構成されるかは規定されず、基地局が異なる参照信号（Reference signal）を送信できる最小単位として規定されている。
【０１９９】
また、アンテナポートはプリコーディングベクトル（Precoding vector）の重み付けを乗算する最小単位として規定されることもある。
【０２００】
［４］上記各実施の形態では、本発明をハードウェアで構成する場合を例にとって説明したが、本発明はハードウェアとの連携においてソフトウェアでも実現することも可能である。
【０２０１】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２０２】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）又は、ＬＳＩ内部の回路セルの接続若しくは設定を再構成可能なリコンフィギュラブル・プロセッサを利用してもよい。
【０２０３】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２０４】
本開示の送信装置は、２つのアンテナポートを用いて受信装置へ参照信号を送信する送信装置であって、前記受信装置の受信品質に基づいて、前記参照信号が互いに符号多重されない第１のアンテナポートペア、及び、前記参照信号が符号多重される第２のアンテナポートペアのいずれかを前記２つのアンテナポートとして設定する設定手段と、設定された前記２つのアンテナポートから前記参照信号を送信する送信手段と、を具備する構成を採る。
【０２０５】
本開示の送信装置では、前記設定手段は、前記受信装置に設定されたアグリゲーションレベルが閾値以上の場合には前記第１のアンテナポートペアを設定し、前記アグリゲーションレベルが前記閾値未満の場合には前記第２のアンテナポートペアを設定する。
【０２０６】
本開示の送信装置では、前記受信装置から報告されるCQI値が大きいほど、前記受信品質がより良好であり、前記設定手段は、前記CQI値が閾値未満の場合には前記第１のアンテナポートペアを設定し、前記CQI値が前記閾値以上の場合には前記第２のアンテナポートペアを設定する。
【０２０７】
本開示の送信装置では、前記設定手段は、１つの物理チャネルリソースブロックを構成する複数の制御チャネル要素のうち、前記受信装置に使用される制御チャネル要素の数が閾値以上の場合には前記第１のアンテナポートペアを設定し、前記制御チャネル要素の数が前記閾値未満の場合には前記第２のアンテナポートペアを設定する。
【０２０８】
本開示の送信装置では、前記設定手段は、第１のサブフレームよりも前記送信装置からの信号の送信電力が低く設定される第２のサブフレームが前記受信装置に設定される場合には前記第１のアンテナポートペアを設定し、前記第１のサブフレームが前記受信装置に設定される場合には前記第２のアンテナポートペアを設定する。
【０２０９】
本開示の送信装置では、前記受信装置に対して割当可能な複数のリソースの各々に対して、前記第１のアンテナポートペア又は前記第２のアンテナポートペアのいずれか一方がそれぞれ対応付けられ、前記設定手段は、前記第１のアンテナポートペア及び前記第２のアンテナポートペアのうち、前記受信装置の受信品質に基づいて割り当てられたリソースに対応付けられたアンテナポートペアを、前記２つのアンテナポートとして設定する。
【０２１０】
本開示の送信装置では、前記受信装置に対して割当可能な複数のコンポーネントキャリアの各々に対して、前記第１のアンテナポートペア又は前記第２のアンテナポートペアがそれぞれ対応付けられ、前記設定手段は、前記第１のアンテナポートペア及び前記第２のアンテナポートペアのうち、前記受信装置の受信品質に基づいて割り当てられたコンポーネントキャリアに対応付けられたアンテナポートペアを、前記２つのアンテナポートとして設定する。
【０２１１】
本開示の送信装置では、前記受信装置に対して割当可能な複数のコンポーネントキャリアのうち、ＰＤＣＣＨ及びＣＲＳの少なくとも一方を送信しないコンポーネントキャリアには前記第１のアンテナポートペアが対応付けられ、前記ＰＤＣＣＨ及び前記ＣＲＳを送信するコンポーネントキャリアには前記第２のアンテナポートペアが対応付けられる。
【０２１２】
本開示の送信装置では、前記設定手段は、信号を周波数領域において分散して割り当てる第１の割当方法が前記受信装置に対して設定された場合には前記第１のアンテナポートペアを設定し、信号を周波数領域においてまとめて割り当てる第２の割当方法が前記受信装置に対して設定された場合には前記第２のアンテナポートペアを設定する。
【０２１３】
本開示の送信装置では、前記設定手段は、前記受信装置に対して前記第２のアンテナポートペアを設定する場合、前記第２のアンテナポートペアに含まれるアンテナポート以外の他のアンテナポートのいずれか１つを、１つのアンテナポートを用いた送信方法が設定された他の受信装置向けの信号の送信に用いられるアンテナポートとして設定する。
【０２１４】
本開示の受信装置は、送信装置が有する複数のアンテナポートのうちの２つのアンテナポートを用いて送信された参照信号を受信する受信手段と、受信装置の受信品質に基づいて、前記参照信号が互いに符号多重されない第１のアンテナポートペア、及び、前記参照信号が符号多重される第２のアンテナポートペアのいずれかを前記２つのアンテナポートとして特定し、前記特定された２つのアンテナポートにおける参照信号を用いて、制御信号を復調する制御信号処理手段と、を具備する構成を採る。
【０２１５】
本開示の送信方法は、２つのアンテナポートを用いて受信装置へ参照信号を送信する送信方法であって、前記受信装置の受信品質に基づいて、前記参照信号が互いに符号多重されない第１のアンテナポートペア、及び、前記参照信号が符号多重される第２のアンテナポートペアのいずれかを前記２つのアンテナポートとして設定し、設定された前記２つのアンテナポートから前記参照信号を送信する。
【０２１６】
本開示の受信方法は、送信装置が有する複数のアンテナポートのうちの２つのアンテナポートを用いて送信された参照信号を受信し、受信装置の受信品質に基づいて、前記参照信号が互いに符号多重されない第１のアンテナポートペア、及び、前記参照信号が符号多重される第２のアンテナポートペアのいずれかを前記２つのアンテナポートとして特定し、前記特定された２つのアンテナポートにおける参照信号を用いて、制御信号を復調する。
【０２１７】
２０１２年３月１９日出願の特願２０１２−０６１９７４および２０１２年５月１１日出願の特願２０１２−１０９４９９の日本出願に含まれる明細書、図面および要約書の開示内容は、すべて本願に援用される。
【産業上の利用可能性】
【０２１８】
本発明は、移動体通信システムにおいて有用である。
【符号の説明】
【０２１９】
１００  基地局
２００  端末
１０１  割当情報生成部
１０２  設定部
１０３  DMRS生成部
１０４，２０６  誤り訂正符号化部
１０５  マッピング部
１０６，２０７  変調部
１０７  プリコーディング部
１０８，２０８  信号割当部
１０９，２０９  送信部
１１０，２０１  受信部
１１１，２０３  復調部
１１２，２０４  誤り訂正復号部
２０２  信号分離部
２０５  制御信号処理部
【図１】
0006013453.tif 000002
【図２】
0006013453.tif 000003
【図３】
0006013453.tif 000004
【図４】
0006013453.tif 000005
【図５】
0006013453.tif 000006
【図６】
0006013453.tif 000007
【図７】
0006013453.tif 000008
【図８】
0006013453.tif 000009
【図９】
0006013453.tif 000010
【図１０】
0006013453.tif 000011
【図１１】
0006013453.tif 000012
【図１２】
0006013453.tif 000013
【図１３】
0006013453.tif 000014
【図１４】
0006013453.tif 000015
【図１５】
0006013453.tif 000016
【図１６】
0006013453.tif 000017
【図１７】
0006013453.tif 000018
【図１８】
0006013453.tif 000019
【図１９】
0006013453.tif 000020
【図２０】
0006013453.tif 000021